(57)【要約】【課題】実際の状況に応じて可動部の動作の不能化制御からの復帰を行う。【解決手段】各可動役物は遊技者が触れることが可能な位置に設けられている。サブ制御部は初期化処理において各可動役物に実行させる初期動作又は遊技中に演出を実行するとき各可動役物に実行させる演出動作において異常が発生したと判定されたときに不能化制御を行う。サブ制御部は、初期動作の実行中において中央可動役物に異常が発生したと判定されて不能化制御を行った後には電断復帰したときに復帰制御を行う一方、演出動作の実行中において中央可動役物に異常が発生したと判定されて不能化制御を行った後には電断復帰したときだけでなく最初のデモ画面を表示したときにリカバリ動作が正常に実行できたときにも復帰制御を行う。【選択図】図６
2020120723.tif 000002
【特許請求の範囲】
【請求項１】
遊技を行う遊技機であって、
遊技者が触れることが可能な位置に設けられた可動部と、
初期化条件が成立したときに前記可動部に初期動作を実行させる制御を行う一方、演出
条件が成立したときに前記可動部に演出動作を実行させる制御を行う動作制御手段と、
前記可動部に異常が発生したか否かを判定する異常判定手段と、
前記初期動作の実行中において前記可動部に異常が発生したと判定されたとき、または
、前記演出動作の実行中において前記可動部に異常が発生したと判定されたとき、前記演
出条件が成立しても前記可動部に前記演出動作を実行させない不能化制御を行う不能化制
御手段と、
前記不能化制御からの復帰制御を行うことが可能な復帰制御手段とを備え、
前記復帰制御手段は、
前記初期動作の実行中において前記可動部に異常が発生したと判定されて前記不能化
制御を行った後において、第１復帰条件が成立したとき、前記復帰制御を行うことが可能
であり、
前記演出動作の実行中において前記可動部に異常が発生したと判定されて前記不能化
制御を行った後において、前記第１復帰条件が成立したとき、または、前記第１復帰条件
とは異なる第２復帰条件が成立したとき、前記復帰制御を行うことが可能である、遊技機
。
【発明の詳細な説明】
【技術分野】
【０００１】
本発明は、遊技を行う遊技機に関する。
【背景技術】
【０００２】
遊技機として、所定の賭数を設定し、スタート操作が受け付けられたことに基づいて、
複数種類の識別情報の可変表示が行われるスロットマシンや、遊技球等の遊技媒体を発射
装置によって遊技領域に発射し、該遊技領域に設けられている入賞口等の始動領域に遊技
媒体が入賞したときに複数種類の識別情報の可変表示が行われるパチンコ遊技機等がある
。
【０００３】
このような遊技機として、遊技枠よりも外側に突出する突出動作や遊技枠側に戻る収納
動作を行うことが可能な枠可動物が遊技枠の上端部に設けられたものが提案されている（
例えば、特許文献１参照）。特許文献１では、枠可動物が正常に突出できないときに異常
状態と判定している。また、特許文献１では、電源投入時における枠役物設定スイッチの
操作によって枠可動物を動作可能とするか動作不可能とするかを設定することが可能とな
っている。
【先行技術文献】
【特許文献】
【０００４】
【特許文献１】特開２０１６−０６７４２３号公報
【発明の概要】
【発明が解決しようとする課題】
【０００５】
特許文献１に記載の技術では、枠役物設定スイッチの操作によって枠可動物の動作設定
を行うため、枠可動物が異常状態であっても動作する虞があり、枠可動物が異常状態であ
るときに枠可動物を動作不可能としたり、異常状態が解除されたときに枠可動物を動作可
能としたりすることができない問題がある。また、特許文献１に記載の技術では、遊技者
が枠可動物に直接触ることができ、遊技者が触ることによって枠可動物が可動できなくな
る虞がある。しかしながら、特許文献１に記載の技術では、枠可動物が正常に突出できな
いだけで異常状態と判定しており、異常状態の判定において枠可動物に遊技者が触ること
ができることを考慮していない問題がある。これらの結果、特許文献１に記載の技術では
、枠可動物の異常状態の判定や枠可動物の動作設定には改良の余地がある。
【０００６】
本発明は、上記実情に鑑みてなされたものであり、実際の状況に応じて可動部の動作の
不能化制御からの復帰を行う遊技機を提供することを目的とする。
【課題を解決するための手段】
【０００７】
（１）上記目的を達成するため、本発明に係る遊技機は、
遊技を行う遊技機（例えば、遊技機１）であって、
遊技者が触れることが可能な位置に設けられた可動部（例えば、中央可動役物１０１、
左側可動役物１０２、右側可動役物１０３）と、
初期化条件（例えば、初期化処理を実行する条件）が成立したときに前記可動部に初期
動作（例えば、初期動作、前後可動部１０１ａを収納位置から出現位置に移動させた後に
上下可動部１０１ｂを待機位置と稼働位置との間で往復移動させてから前後可動部１０１
ａを収納位置から出現位置に移動させる動作、左側可動役物１０２及び右側可動役物１０
３を収納位置から出現位置に移動させた後に出現位置から収納位置に戻る往復移動を同時
にさせる動作）を実行させる制御を行う一方、演出条件（例えば、遊技中に演出を実行す
る条件）が成立したときに前記可動部に演出動作（例えば、演出動作、有利状態の制御を
開始するときに前後可動部１０１ａを収納位置から出現位置に移動させた後に上下可動部
１０１ｂを待機位置から稼働位置に移動させて有利状態の制御を終了するときに上下可動
部１０１ｂを待機位置から稼働位置に移動させた後に前後可動部１０１ａを出現位置から
収納位置に移動させる動作、左側可動役物１０２及び右側可動役物１０３を収納位置から
出現位置に移動させた後に出現位置から収納位置に戻る往復移動を同時にさせる動作）を
実行させる制御を行う動作制御手段（例えば、サブ制御部９１が各可動役物１０１〜１０
３に初期動作及び演出動作を実行させる処理）と、
前記可動部に異常が発生したか否かを判定する異常判定手段（例えば、サブ制御部９１
が実行するステップＳａ１〜Ｓａ１６、Ｓｃ１〜Ｓｃ３の処理）と、
前記初期動作の実行中において前記可動部に異常が発生したと判定されたとき（例えば
、前後可動部１０１ａの収納位置から出現位置までの移動が所定期間を経過しても終了し
ないと判定されたとき、上下可動部１０１ｂの待機位置から稼働位置までの移動が所定期
間を経過しても終了しないと判定されたとき、上下可動部１０１ｂの稼働位置から待機位
置までの移動が所定期間を経過しても終了しないと判定されたとき、前後可動部１０１ａ
の出現位置から収納位置までの移動が所定期間を経過しても終了しないと判定されたとき
）、または、前記演出動作の実行中において前記可動部に異常が発生したと判定されたと
き（例えば、前後可動部１０１ａの収納位置から出現位置までの移動が所定期間を経過し
ても終了しないと判定されたとき、または、上下可動部１０１ｂの待機位置から稼働位置
までの移動が所定期間を経過しても終了しないと判定されたとき、または、上下可動部１
０１ｂの稼働位置から待機位置までの移動が所定期間を経過しても終了しないと判定され
たとき、または、前後可動部１０１ａの出現位置から収納位置までの移動が所定期間を経
過しても終了しないと判定されたときに＋１加算される動作失敗カウンタの値が６以上と
なったとき）、前記演出条件が成立しても前記可動部に前記演出動作を実行させない不能
化制御（例えば、不能化制御、前後可動部１０１ａの及び上下可動部１０１ｂの各駆動源
１３１、１４１のステッピングモータへの励磁をオフにするとともに異常発生フラグをオ
ンに設定する制御、左側可動役物１０２及び右側可動役物１０３の各駆動源１５１のステ
ッピングモータへの励磁をオフにする制御）を行う不能化制御手段（例えば、サブ制御部
９１が実行するステップＳａ１４〜Ｓａ１６、Ｓｃ３の処理）と、
前記不能化制御からの復帰制御（例えば、復帰制御、電断復帰時に前後可動部１０１ａ
の及び上下可動部１０１ｂの各駆動源１３１、１４１のステッピングモータへの励磁をオ
ンにするとともに異常発生フラグをオフに設定する制御、電断復帰時に左側可動役物１０
２及び右側可動役物１０３の各駆動源１５１のステッピングモータへの励磁をオンにする
制御）を行うことが可能な復帰制御手段（例えば、サブ制御部９１が実行するステップＳ
ｂ１〜Ｓｂ１０の処理、サブ制御部９１が実行する電断復帰後に復帰制御を行う処理）と
を備え、
前記復帰制御手段は、
前記初期動作の実行中において前記可動部に異常が発生したと判定されて前記不能化
制御を行った後において、第１復帰条件（例えば、電断復帰する条件）が成立したとき、
前記復帰制御を行うことが可能であり、
前記演出動作の実行中において前記可動部に異常が発生したと判定されて前記不能化
制御を行った後において、前記第１復帰条件が成立したとき、または、前記第１復帰条件
とは異なる第２復帰条件（例えば、サブ制御部９１がステップＳｂ１〜Ｓｂ１０の処理を
全て実行する条件）が成立したとき、前記復帰制御を行うことが可能である。
【０００８】
このような構成によれば、演出動作の実行中のように遊技者が遊技中に可動部に触って
いる可能性がある状況においては初期動作の実行中のように遊技が行われておらず遊技者
が可動部に触っている可能性がない状況とは異なる復帰条件も加えることができ、実際の
状況に応じた不能化制御からの復帰を行うことができる。
【図面の簡単な説明】
【０００９】
【図１】（Ａ）本実施形態に係る遊技機の構成の一例を示す図、（Ｂ）遊技機の正面図である。
【図２】（Ａ）前後可動部が収納位置で停止し且つ上下可動部が待機位置で停止しているときの遊技機の正面図、（Ｂ）前後可動部が収納位置で停止し且つ上下可動部が待機位置で停止しているときの遊技機の平面図、（Ｃ）前後可動部が収納位置で停止し且つ上下可動部が待機位置で停止しているときの中央可動役物の左側面図、（Ｄ）前後可動部がロック位置で停止し且つ上下可動部が待機位置で停止しているときの中央可動役物の左側面図である。
【図３】（Ａ）前後可動部が出現位置で停止し且つ上下可動部が待機位置で停止しているときの遊技機の正面図、（Ｂ）前後可動部が出現位置で停止し且つ上下可動部が待機位置で停止しているときの遊技機の平面図、（Ｃ）前後可動部が出現位置で停止し且つ上下可動部が待機位置で停止しているときの中央可動役物の左側面図である。
【図４】（Ａ）前後可動部が出現位置で停止し且つ上下可動部が稼働位置で停止しているときの遊技機の正面図、（Ｂ）前後可動部が出現位置で停止し且つ上下可動部が稼働位置で停止しているときの遊技機の平面図、（Ｃ）前後可動部が出現位置で停止し且つ上下可動部が稼働位置で停止しているときの中央可動役物の左側面図である。
【図５】（Ａ）左側可動役物が待機位置で停止しているときの遊技機の正面図、（Ｂ）左側可動役物が待機位置で停止しているときの遊技機の平面図、（Ｃ）左側可動役物が待機位置で停止しているときの左側可動役物の左側面図、（Ｄ）左側可動役物が出現位置で停止しているときの遊技機の正面図、（Ｅ）左側可動役物が出現位置で停止しているときの遊技機の平面図、（Ｆ）左側可動役物が出現位置で停止しているときの左側可動役物の左側面図である。
【図６】（Ａ）中央可動役物の状態遷移図、（Ｂ）左側可動役物及び右側可動役物の状態遷移図である。
【図７】サブ制御部が実行する中央可動役物異常判定処理のフローチャートである。
【図８】図７の続きのフローチャートである。
【図９】サブ制御部が実行する中央可動役物リカバリ処理のフローチャートである。
【図１０】サブ制御部が実行する左側可動役物異常判定処理のフローチャートである。
【図１１】中央可動役物の動作例（動作成功時）のタイミングチャートである。
【図１２】中央可動役物の動作例（初期動作中における前後可動部の動作失敗時）のタイミングチャートである。
【図１３】中央可動役物の動作例（初期動作中における上下可動部の動作失敗時）のタイミングチャートである。
【図１４】中央可動役物の動作例（演出動作中における前後可動部の動作失敗時）のタイミングチャートである。
【図１５】中央可動役物の動作例（演出動作中における上下可動部の動作失敗時）のタイミングチャートである。
【図１６】中央可動役物の動作例（リカバリ処理成功時）のタイミングチャートである。
【図１７】左側可動役物の動作例（動作成功時）のタイミングチャートである。
【図１８】左側可動役物の動作例（動作失敗時）のタイミングチャートである。
【図１９】中央可動役物の動作変更例（演出動作中における前後可動部の動作失敗時）のタイミングチャートである。
【図２０】（Ａ）中央可動役物の動作変更例（動作成功時）のタイミングチャート、（Ｂ）左側可動役物の動作変更例（動作成功時）のタイミングチャートである。
【発明を実施するための形態】
【００１０】
以下、本発明の実施形態に係る遊技機について、図面を参照して説明する。
【００１１】
本発明の実施形態に係る遊技機１は、図１（Ａ）に示すように、図示しない遊技制御基
板によって遊技の進行が制御され、図示しない演出制御基板によって演出が制御され、図
示しない電源基板によって駆動電源が生成されて各部品に供給される。遊技制御基板は、
メイン制御部４１を備え、演出制御基板は、サブ制御部９１を備える。
図１（Ａ）、図１（Ｂ）に示すように、遊技制御基板には、操作部（遊技進行用操作部
）７が接続され、演出制御基板には、液晶表示器５１、中央可動役物１０１、左側可動役
物１０２、右側可動役物１０３が接続されている。これらの演出装置５１、１０１〜１０
３は、サブ制御部９１による制御に基づいて駆動される。なお、本実施形態では、図１（
Ｂ）に示すように、液晶表示器５１、中央可動役物１０１、左側可動役物１０２、右側可
動役物１０３等の演出装置は、遊技者が触れることが可能な位置に設けられている。
【００１２】
遊技機１の前面扉が開放された状態で、遊技店の店員等によって図示しない電源スイッ
チが操作され、遊技機１に対する電源供給が開始されると、メイン制御部４１及びサブ制
御部９１は、それぞれ起動処理を開始する。メイン制御部４１は、起動処理において操作
部７の制御を行うための初期化処理等を実行する。なお、操作部７とは、例えば、スロッ
トマシンであれば、賭数を設定可能な賭数設定ボタン、リールを回転開始するためのスタ
ートスイッチ、リールを停止させるためのストップスイッチ等であり、パチンコ遊技機で
あれば、遊技球を発射するための打球操作ハンドル等である。メイン制御部４１は、起動
処理が終了すると、操作部７への操作の受付を有効化して遊技を進行させるための制御が
可能となり（通常制御中となり）、遊技者は、操作部７の操作によって遊技を行うことが
可能となる。このとき、メイン制御部４１は、サブ制御部９１に通常制御の開始を示す開
始コマンドを送信する。
【００１３】
一方、サブ制御部９１は、起動処理において液晶表示器５１、中央可動役物１０１、左
側可動役物１０２、右側可動役物１０３等の初期化処理等を実行する。なお、本実施形態
では、サブ制御部９１は、初期化処理の実行中において各可動役物１０１〜１０３に演出
動作を実行させる。サブ制御部９１は、起動処理の終了後（起動期間経過後）、準備期間
に移行して画像の表示制御の準備処理を行う。サブ制御部９１は、準備期間中に画像の表
示制御の準備を終了してメイン制御部４１から開始コマンドを受信すると、液晶表示器５
１にメイン制御部４１が通常制御中である旨の表示（例えば、演出画像等の表示）を行う
。メイン制御部４１は、遊技の進行に応じて各種コマンドを送信し、サブ制御部９１は、
メイン制御部４１から受信したコマンドの制御情報に基づいて演出の制御を行う。演出は
、例えば、液晶表示器５１、中央可動役物１０１、左側可動役物１０２、右側可動役物１
０３等を用いて行われるが、これに限らず、図示しない演出効果ＬＥＤ、スピーカ、演出
用スイッチ（演出進行用操作部）等が用いられてもよい。
【００１４】
（液晶表示器５１及び各可動役物１０１〜１０３を用いた演出について）
本実施形態では、サブ制御部９１は、遊技中であれば液晶表示器５１に演出画像等を表
示させる一方、遊技中でなければ液晶表示器５１に図示しないデモ画面（例えば、背景画
像等）を表示させる。また、サブ制御部９１は、有利状態に制御されているとき（例えば
、スロットマシンであればボーナス・ＡＲＴ・ＣＺ等の制御中、パチンコ遊技機であれば
大当り状態や小当り状態の制御中）に中央可動役物１０１に演出動作を実行させる。また
、サブ制御部９１は、有利状態に制御される可能性を示唆するとき（例えば、スロットマ
シンであれば小役当選示唆演出の実行中、パチンコ遊技機であればリーチ演出の実行中）
に左側可動役物１０２及び右側可動役物１０３に演出動作を行わせる。
【００１５】
なお、本実施形態では、有利状態に制御されているときに中央可動役物１０１に演出動
作を実行させるとともに、有利状態に制御される可能性を示唆するときに左側可動役物１
０２及び右側可動役物１０３に演出動作を行わせているが、これに限定されず遊技中に演
出を実行するときの演出動作である限りにおいて、各可動役物１０１〜１０３に任意の条
件で演出動作を実行させてもよい。例えば、有利状態に制御されているときに全ての可動
役物１０１〜１０３に演出動作を実行させてもよい。また、例えば、第１有利状態に制御
されているときに左側可動役物１０２及び右側可動役物１０３に演出動作を実行させる一
方、第１有利状態よりも遊技者にとって有利な第２有利状態に制御されているときに中央
可動役物１０１に演出動作を実行させてもよい。
【００１６】
（各可動役物１０１〜１０２の移動機構について）
図２〜図５を参照して中央可動役物１０１、左側可動役物１０２、右側可動役物１０３
の動作について説明する。
【００１７】
中央可動役物１０１は、前後方向に移動可能な前後可動部１０１ａと、上下方向に移動
可能な上下可動部１０１ｂとを有する。前後可動部１０１ａは、図２（Ｃ）、図３（Ｃ）
に示すように、駆動源１３１を駆動させることによってクランク１３２を回転させてクラ
ンク１３２と前後可動部１０１ａとを接続する接続棒（コネクティングロッド）１３３を
移動させる所謂クランク構造（クランク機構）によって、図２（Ａ）〜図２（Ｃ）に示す
収納位置と図３（Ａ）〜図３（Ｃ）に示す出現位置との間を移動することが可能となって
いる。
【００１８】
本実施形態では、駆動源１３１はステッピングモータを備え、サブ制御部９１は、ステ
ッピングモータへの励磁を制御することで、クランク１３２の正逆回転を制御するだけで
なく回転量も制御することができるようになっている。また、クランク１３２は、円盤状
の柄部１３２ａと、柄部１３２ａの中心から直交方向に延びる回転軸１３２ｂと、柄部１
３２ａの中心から偏った位置から直交方向に延びる偏心軸（クランクピン）１３２ｃとを
備え、接続棒１３３は、後端部が偏心軸１３２ｃに接続され、前端部が前後可動部１０１
ａ後端部に設けられた移動軸（ピストンピン）１３４に接続されている。なお、前後可動
部１０１ａは、図示しない案内部材（ガイド部材）に案内されて前後方向にのみ移動可能
となっている。すなわち、偏心軸１３２ｃは、上下方向及び左右方向の移動が規制されて
おり、前後方向にのみ移動（ピストン移動）可能となっている。
【００１９】
図２（Ｃ）に示すように、前後可動部１０１ａが収納位置で停止しているときには、偏
心軸１３２ｃが回転軸１３２ｂの後方で略同じ高さとなる位置に設けられている。この状
態から回転軸１３２ｂを９０°程度正回転させると、図３（Ｃ）に示すように、偏心軸１
３２ｃが回転軸１３２ｂの上方の位置まで移動して停止する。このとき、偏心軸１３２ｃ
に接続された接続棒１３３の後端部も偏心軸１５２ｃに伴って移動し、接続棒１３３の前
端部に接続された移動軸１３４が接続棒１３３に押圧されて前方に移動し、前後可動部１
０１ａが出現位置まで移動して停止した状態となる。なお、この状態から回転軸１３２ｂ
を９０°程度逆回転させると、偏心軸１３２ｃが回転軸１３２ｂの後方で略同じ高さとな
る位置まで移動して停止し、偏心軸１３２ｃに接続された接続棒１３３の後端部も偏心軸
１５２ｃに伴って移動し、接続棒１３３の前端部に接続された移動軸１３４が接続棒１３
３に引っ張られて後方に移動し、図２（Ｃ）に示す前後可動部１０１ａが収納位置で停止
している状態に戻る。このように、サブ制御部９１がクランク１３２の正逆回転を制御す
ることで、前後可動部１０１ａを収納位置と出現位置との間で移動させることが可能とな
っている。
【００２０】
なお、図２（Ｂ）、図３（Ｂ）、図４（Ｂ）に示すように、上下可動部１０１ｂには、
左右両側の後端から前方に凹んだ被係合部（凹部）１２１、１２２が設けられており、筐
体１ｂには、被係合部１２１、１２２と前後方向で対向する位置に前端から前方に突起す
る係合部（凸部）１１１、１１２が設けられている。このため、前後可動部１０１ａが収
納位置で停止しているときには、上下可動部１０１ｂは、係合部１１１、１１２が被係合
部１２１、１２２に係合して（凹凸が嵌まって）移動が規制されるようになっている。一
方、前後可動部１０１ａが出現位置で停止しているときには、上下可動部１０１ｂは、図
３（Ｃ）、図４（Ｃ）に示すように、駆動源１４１を駆動させることによって前後可動部
１０１ａ前端上部と上下可動部１０１ｂ後端上部とを接続する接続軸１４２を回転させる
ことで、図２（Ａ）〜図２（Ｃ）、図３（Ａ）〜図３（Ｃ）に示す待機位置と図４（Ａ）
〜図４（Ｃ）に示す稼働位置との間を移動することが可能となっている。なお、本実施形
態では、駆動源１４１は駆動源１３１と同様にステッピングモータを備え、サブ制御部９
１は、ステッピングモータへの励磁を制御することで、接続軸１４２の正逆回転を制御す
るだけでなく回転量も制御することができるようになっている。
【００２１】
図３（Ｃ）に示すように、上下可動部１０１ｂが待機位置で停止した状態から接続軸１
４２を４０°程度正回転させると、図４（Ｃ）に示す上下可動部１０１ｂが稼働位置まで
移動して停止した状態となる。また、図４（Ｃ）に示す上下可動部１０１ｂが稼働位置ま
で移動して停止した状態から接続軸１４２を４０°程度逆回転させると、図３（Ｃ）に示
す上下可動部１０１ｂが待機位置で停止している状態に戻る。このように、サブ制御部９
１が接続軸１４２の正逆回転を制御することで、上下可動部１０１ｂを待機位置と稼働位
置との間で移動させることが可能となっている。
【００２２】
また、左側可動役物１０２は、前後可動部１０１ａと同様に前後方向に移動可能であり
、図５（Ｃ）、図５（Ｇ）に示すように、駆動源１５１を駆動させることによってクラン
ク１５２を回転させてクランク１５２と左側可動役物１０２とを接続する接続棒１５３を
移動させるクランク構造によって、図５（Ａ）〜図５（Ｃ）に示す収納位置と図５（Ｅ）
〜図５（Ｇ）に示す出現位置との間を移動することが可能となっている。
【００２３】
本実施形態では、駆動源１５１は駆動源１３１、１４１と同様にステッピングモータを
備え、サブ制御部９１は、ステッピングモータへの励磁を制御することで、クランク１５
２の正逆回転を制御するだけでなく回転量も制御することができるようになっている。ま
た、クランク１５２は、クランク１３２と同様に柄部１５２ａと回転軸１５２ｂと偏心軸
１５２ｃとを備え、接続棒１５３は、後端部が偏心軸１５２ｃに接続され、前端部が左側
可動役物１０２後端部に設けられた移動軸１５４に接続されている。なお、左側可動役物
１０２は、前後可動部１０１ａと同様に図示しない案内部材に案内されて前後方向にのみ
移動可能となっており、偏心軸１５２ｃは、上下方向及び左右方向の移動が規制されて前
後方向にのみ移動可能となっている。
【００２４】
図５（Ｃ）に示すように、左側可動役物１０２が収納位置で停止しているときには、偏
心軸１５２ｃが回転軸１５２ｂの後方で略同じ高さとなる位置に設けられている。この状
態から回転軸１５２ｂを９０°程度正回転させると、図５（Ｇ）に示すように、偏心軸１
５２ｃが回転軸１５２ｂの上方の位置まで移動して停止する。このとき、偏心軸１５２ｃ
に接続された接続棒１５３の後端部も偏心軸１５２ｃに伴って移動し、接続棒１３３の前
端部に接続された移動軸１３４が接続棒１３３に押圧されて前方に移動し、左側可動役物
１０２が出現位置まで移動して停止した状態となる。なお、この状態から回転軸１５２ｂ
を９０°程度逆回転させると、偏心軸１５２ｃが回転軸１５２ｂの後方で略同じ高さとな
る位置まで移動して停止し、偏心軸１５２ｃに接続された接続棒１５３の後端部も偏心軸
１５２ｃに伴って移動し、接続棒１５３の前端部に接続された移動軸１５４が接続棒１５
３に引っ張られて後方に移動し、図５（Ｃ）に示す左側可動役物１０２が収納位置で停止
している状態に戻る。このように、サブ制御部９１がクランク１５２の正逆回転を制御す
ることで、左側可動役物１０２を収納位置と出現位置との間で移動させることが可能とな
っている。
【００２５】
なお、本実施形態では、図示しない位置検出センサが、前後可動部１０１ａの収納位置
及び出現位置、上下可動部１０１ｂの待機位置及び稼働位置、左側可動役物１０２の収納
位置及び出現位置、右側可動役物１０３の収納位置及び出現位置にそれぞれ設けられてお
り、サブ制御部９１は、位置検出センサの検出信号に基づいて各可動役物１０１〜１０３
が各位置に移動を終了したか否かを判定している。なお、本実施形態のように、位置検出
センサは各位置にそれぞれ設けられていなくてもよく、例えば、前後可動部１０１ａが収
納位置又は出現位置に移動していることを検出可能な位置検出センサを設けて、サブ制御
部９１は、各位置への移動時に位置検出センサの検出信号がオン・オフ・オンの順に変化
したか否かを判定することで各可動役物１０１〜１０３が各位置に移動を終了したか否か
を判定してもよい。また、例えば、前後可動部１０１ａが収納位置と出現位置との間の中
間位置に移動していることを検出可能な位置検出センサを設けて、サブ制御部９１は、各
位置への移動時に位置検出センサの検出信号がオフ・オン・オフの順に変化したか否かを
判定することで各可動役物１０１〜１０３が各位置に移動を終了したか否かを判定しても
よい。
【００２６】
なお、本実施形態では、駆動源１３１、１４１、１５１がステッピングモータを備えて
いるが、これに限定されず、ステッピングモータよりも位置決め精度が低下するが比較的
安価な電磁モータに替えてもよい。
また、本実施形態では、クランク機構を用いて前後可動部１０１ａ、左側可動役物１０
２、右側可動役物１０３を前後方向に移動させているが、これに限定されず、例えば、所
謂ピニオンラック機構を用いて前後可動部１０１ａ、左側可動役物１０２、右側可動役物
１０３を前後方向に移動させてもよい。具体的には、左右方向に延び且つ外周にピニオン
ギアが固定支持された回転軸を各可動役物１０１〜１０３に回転可能に支持させるととも
にピニオンギアの下方に前後方向に延びるラックギアを設けて駆動源１３１、１５１によ
って回転軸を回転させ、ラックギアと噛み合うピニオンギアをラックギア上方で前後方向
に移動させることで、前後可動部１０１ａ、左側可動役物１０２、右側可動役物１０３を
前後方向にそれぞれ移動させてもよい。
【００２７】
また、例えば、所謂ソレノイド機構を用いて前後可動部１０１ａ、左側可動役物１０２
、右側可動役物１０３を前後方向に移動させてもよい。具体的には、移動軸１３４、１５
４と電磁ソレノイドとを連結し、電磁ソレノイドへの電力供給がオンのときには移動軸１
３４、１５４が引っ張られて後方に移動する一方で電磁ソレノイドへの電力供給がオフの
ときには移動軸１３４、１５４がバネで押圧されて前方に移動するようにすることで、前
後可動部１０１ａ、左側可動役物１０２、右側可動役物１０３を前後方向にそれぞれ移動
させてもよい。
【００２８】
（各可動役物１０１〜１０３の初期動作及び演出動作について）
本実施形態では、サブ制御部９１は、中央可動役物１０１に初期動作として前後可動部
１０１ａを収納位置から出現位置に移動させた後に上下可動部１０１ｂを待機位置と稼働
位置との間で往復移動させてから前後可動部１０１ａを収納位置から出現位置に移動させ
る動作を実行させる。また、サブ制御部９１は、中央可動役物１０１に演出動作として、
まず、有利状態の制御を開始するときに前後可動部１０１ａを収納位置から出現位置に移
動させた後に上下可動部１０１ｂを待機位置から稼働位置に移動させる動作を実行させる
。そして、サブ制御部９１は、中央可動役物１０１に演出動作として、有利状態の制御を
終了するときに上下可動部１０１ｂを待機位置から稼働位置に移動させた後に前後可動部
１０１ａを出現位置から収納位置に移動させる動作を実行させる。
また、サブ制御部９１は、左側可動役物１０２及び右側可動役物１０３に初期動作及び
演出動作の共通動作として収納位置から出現位置に移動させた後に出現位置から収納位置
に戻る往復移動させる動作を同時に実行させる。
【００２９】
（各可動役物１０１〜１０３の異常判定について）
また、サブ制御部９１は、各可動役物１０１〜１０３に初期動作又は演出動作を実行さ
せるときに異常が発生したか否かをそれぞれ判定している。具体的には、サブ制御部９１
は、位置検出センサの検出信号に基づいて各可動役物１０１〜１０３の動作（初期動作又
は演出動作）が正常に実行されたか否か、すなわち、動作に成功したか否かを判定してい
る。このため、例えば、駆動源１３１、１４１、１５１のステッピングモータが故障（部
品等が破損等）していたり、位置検出センサが故障していたり、ステッピングモータや位
置検出センサに接続している電線や信号線が断線等していたり、駆動源１３１、１４１、
１５１に含まれるギアが破損していたり、ギア同士の噛み合いが外れていたり、クランク
１３２、１５２の回転軸１３２ｂ、１５２ｂや偏心軸１３２ｃ、１５２ｃや接続棒１３３
、１５３や移動軸１３４、１５４や案内部材や各可動役物１０１〜１０３が破損していた
りしたときに、各可動役物１０１〜１０３の動作が正常に実行されていないと判定され、
異常が発生したと判定される。
【００３０】
（各可動役物１０１〜１０３の状態遷移について）
図６を参照して中央可動役物１０１、左側可動役物１０２、右側可動役物１０３の状態
について説明する。
【００３１】
図６（Ａ）に示すように、サブ制御部９１は、遊技機１への電力供給が開始されたとき
には、中央可動役物１０１を正常状態として制御しており、初期動作に成功したとき、正
常状態としての制御を継続する。また、サブ制御部９１は、初期動作に失敗したとき、異
常が発生したと判定して中央可動役物１０１を異常状態として制御する。サブ制御部９１
は、中央可動役物１０１を異常状態として制御しているときには、遊技機１への電力供給
が停止された後に電力供給が再開される、すなわち、電断復帰するまで異常状態としての
制御を継続し、電断復帰後に中央可動役物１０１を正常状態として制御する。
【００３２】
一方、サブ制御部９１は、演出動作に失敗しても直ぐに異常が発生したと判定されず、
演出動作に累計で６回失敗したとき、異常が発生したと判定する。サブ制御部９１は、異
常が発生したと判定すると中央可動役物１０１を直ぐに異常状態として制御せずに異常発
生状態として制御する。サブ制御部９１は、中央可動役物１０１を異常発生状態として制
御しているときには、中央可動役物１０１のリカバリ動作を行い、リカバリ動作に成功す
ると中央可動役物１０１を正常状態として制御する。一方、サブ制御部９１は、カバリ動
作に失敗すると中央可動役物１０１を異常状態として制御し、電断復帰するまで中央可動
役物１０１を異常状態として制御する。なお、サブ制御部９１は、リカバリ動作を行う前
に電断復帰しても中央可動役物１０１を正常状態として制御する。
【００３３】
また、図６（Ｂ）に示すように、サブ制御部９１は、遊技機１への電力供給が開始され
たときには、左側可動役物１０２を正常状態として制御しており、初期動作又は演出動作
に成功したとき、正常状態としての制御を継続する。また、サブ制御部９１は、初期動作
又は演出動作に失敗したとき、異常が発生したと判定して左側可動役物１０２を異常状態
として制御する。サブ制御部９１は、左側可動役物１０２を異常状態として制御している
ときには、電断復帰するまで異常状態としての制御を継続し、電断復帰後に中央可動役物
１０１を正常状態として制御する。
【００３４】
なお、右側可動役物１０３の状態については、「左側」を「右側」、「１０２」を「１
０３」とすれば図６（Ｂ）の上記説明と同様であるため、冗長な説明を低減するため、詳
細な説明を省略する。
【００３５】
（中央可動役物異常判定処理について）
次に、サブ制御部９１が実行する中央可動役物異常判定処理について説明する。図７に
示すように、中央可動役物異常判定処理では、サブ制御部９１は、前後可動部１０１ａが
収納位置から出現位置への移動を開始したか否かを判定する（ステップＳａ１）。サブ制
御部９１は、前後可動部１０１ａが出現位置への移動を開始していない場合（ステップＳ
ａ１；Ｎ）、前後可動部１０１ａが出現位置への移動を開始するまでステップＳａ１の処
理を繰り返し、前後可動部１０１ａが出現位置への移動を開始した場合（ステップＳａ１
；Ｙ）、所定期間（例えば、４秒間）が経過するまでに前後可動部１０１ａが出現位置へ
の移動を終了したか否かを判定する（ステップＳａ２）。
【００３６】
サブ制御部９１は、所定期間が経過するまでに前後可動部１０１ａが出現位置への移動
を終了した場合（ステップＳａ２；Ｙ）、上下可動部１０１ｂが待機位置から稼働位置へ
の移動を開始したか否かを判定する（ステップＳａ３）。サブ制御部９１は、上下可動部
１０１ｂが稼働位置への移動を開始していない場合（ステップＳａ３；Ｎ）、上下可動部
１０１ｂが稼働位置への移動を開始するまでステップＳａ３の処理を繰り返し、上下可動
部１０１ｂが稼働位置への移動を開始した場合（ステップＳａ３；Ｙ）、所定期間が経過
するまでに上下可動部１０１ｂが稼働位置への移動を終了したか否かを判定する（ステッ
プＳａ４）。
【００３７】
サブ制御部９１は、所定期間が経過するまでに上下可動部１０１ｂが稼働位置への移動
を終了した場合（ステップＳａ４；Ｙ）、上下可動部１０１ｂが稼働位置から待機位置へ
の移動を開始したか否かを判定する（ステップＳａ５）。サブ制御部９１は、上下可動部
１０１ｂが待機位置への移動を開始していない場合（ステップＳａ５；Ｎ）、上下可動部
１０１ｂが待機位置への移動を開始するまでステップＳａ５の処理を繰り返し、上下可動
部１０１ｂが待機位置への移動を開始した場合（ステップＳａ５；Ｙ）、所定期間が経過
するまでに上下可動部１０１ｂが待機位置への移動を終了したか否かを判定する（ステッ
プＳａ６）。
【００３８】
サブ制御部９１は、所定期間が経過するまでに上下可動部１０１ｂが待機位置への移動
を終了した場合（ステップＳａ６；Ｙ）、前後可動部１０１ａが出現位置から収納位置へ
の移動を開始したか否かを判定する（ステップＳａ７）。サブ制御部９１は、前後可動部
１０１ａが収納位置への移動を開始していない場合（ステップＳａ７；Ｎ）、前後可動部
１０１ａが収納位置への移動を開始するまでステップＳａ７の処理を繰り返し、前後可動
部１０１ａが収納位置への移動を開始した場合（ステップＳａ７；Ｙ）、所定期間が経過
するまでに前後可動部１０１ａが収納位置への移動を終了したか否かを判定する（ステッ
プＳａ８）。
【００３９】
サブ制御部９１は、所定期間が経過するまでに前後可動部１０１ａが収納位置への移動
を終了した場合（ステップＳａ８；Ｙ）、処理を終了する。一方、サブ制御部９１は、所
定期間が経過するまでに前後可動部１０１ａが出現位置への移動を終了しない場合（ステ
ップＳａ２；Ｎ）、または、所定期間が経過するまでに上下可動部１０１ｂが稼働位置へ
の移動を終了しない場合（ステップＳａ４；Ｎ）、または、所定期間が経過するまでに上
下可動部１０１ｂが待機位置への移動を終了しない場合（ステップＳａ６；Ｎ）、または
、所定期間が経過するまでに前後可動部１０１ａが収納位置への移動を終了しない場合（
ステップＳａ８；Ｎ）、図８に示すように、中央可動役物１０１の動作が初期化処理で実
行される初期動作であるか否かを判定する（ステップＳａ９）。
【００４０】
サブ制御部９１は、中央可動役物１０１の動作が初期動作である場合（ステップＳａ９
；Ｙ）、上下可動部１０１ｂを待機位置に移動させる動作を所定期間に亘って初期動作や
演出動作の速度α［ｍｓ／ｓｔｅｐ］（例えば、５ｍｓ／ｓｔｅｐ）よりも遅い速度β［
ｍｓ／ｓｔｅｐ］（例えば、９ｍｓ／ｓｔｅｐ）で行い（ステップＳａ１０）、前後可動
部１０１ａを収納位置に移動させる動作を所定期間に亘って速度βで行う（ステップＳａ
１１）。一方、サブ制御部９１は、中央可動役物１０１の動作が初期動作ではなく演出動
作である場合（ステップＳａ９；Ｙ）、サブ制御部９１が備える図示しないＲＡＭに記憶
されている動作失敗回数カウンタの値に＋１を加算し（ステップＳａ１２）、動作失敗回
数カウンタの値が６以上であるか否かを判定することで、中央可動役物１０１の動作失敗
回数が累計６回以上であるか否かを判定する（ステップＳａ１３）。
【００４１】
サブ制御部９１は、動作失敗回数カウンタの値が６未満である場合（ステップＳａ１３
；Ｎ）、処理を終了する。一方、サブ制御部９１は、動作失敗回数カウンタの値が６以上
である場合（ステップＳａ１３；Ｙ）、または、前後可動部１０１ａを速度βで収納位置
に移動させる動作終了後、上下可動部１０１ｂの停止後に駆動源１４１のステッピングモ
ータへの励磁をオフにし（ステップＳａ１４）、前後可動部１０１ａの停止後に駆動源１
３１のステッピングモータへの励磁をオフにし（ステップＳａ１５）、サブ制御部９１が
備える図示しないＲＡＭに記憶されている異常発生フラグをオンにし（ステップＳａ１６
）、処理を終了する。ここで、異常発生フラグとは、中央可動役物１０１が異常発生状態
であるか否かを示すフラグであり、電源投入時にはオフになり、異常発生状態であると判
定されるとオンになる。
【００４２】
（中央可動役物リカバリ処理について）
次に、サブ制御部９１が実行する中央可動役物リカバリ処理について説明する。図９に
示すように、中央可動役物リカバリ処理では、サブ制御部９１は、異常発生フラグがオン
になってから最初のデモ画面の表示を開始したか否かを判定する（ステップＳｂ１）。サ
ブ制御部９１は、最初のデモ画面の表示を開始していない場合（ステップＳｂ１；Ｎ）、
デモ画面の表示を開始するまでステップＳｂ１の処理を繰り返し、最初のデモ画面の表示
を開始した場合（ステップＳｂ１；Ｙ）、前後可動部１０１ａを出現位置に移動させる動
作を開始し（ステップＳｂ２）、所定期間が経過するまでに前後可動部１０１ａが出現位
置への移動を終了したか否かを判定する（ステップＳｂ３）。
【００４３】
サブ制御部９１は、所定期間が経過するまでに前後可動部１０１ａが出現位置への移動
を終了した場合（ステップＳｂ３；Ｙ）、上下可動部１０１ｂを稼働位置に移動させる動
作を開始し（ステップＳｂ４）、所定期間が経過するまでに上下可動部１０１ｂが稼働位
置への移動を終了したか否かを判定する（ステップＳｂ５）。サブ制御部９１は、所定期
間が経過するまでに上下可動部１０１ｂが稼働位置への移動を終了した場合（ステップＳ
ｂ５；Ｙ）、上下可動部１０１ｂを待機位置に移動させる動作を開始し（ステップＳｂ６
）、所定期間が経過するまでに上下可動部１０１ｂが待機位置への移動を終了したか否か
を判定する（ステップＳｂ７）。サブ制御部９１は、所定期間が経過するまでに上下可動
部１０１ｂが待機位置への移動を終了した場合（ステップＳｂ７；Ｙ）、前後可動部１０
１ａを収納位置に移動させる動作を開始し（ステップＳｂ８）、所定期間が経過するまで
に前後可動部１０１ａが収納位置への移動を終了したか否かを判定する（ステップＳｂ９
）。
【００４４】
サブ制御部９１は、所定期間が経過するまでに前後可動部１０１ａが収納位置への移動
を終了した場合（ステップＳｂ９；Ｙ）、異常発生フラグをオフにし（ステップＳｂ１０
）、処理を終了する。一方、サブ制御部９１は、所定期間が経過するまでに前後可動部１
０１ａが出現位置への移動を終了しない場合（ステップＳｂ３；Ｎ）、または、所定期間
が経過するまでに上下可動部１０１ｂが稼働位置への移動を終了しない場合（ステップＳ
ｂ５；Ｎ）、または、所定期間が経過するまでに上下可動部１０１ｂが待機位置への移動
を終了しない場合（ステップＳｂ７；Ｎ）、または、所定期間が経過するまでに前後可動
部１０１ａが収納位置への移動を終了しない場合（ステップＳｂ９；Ｎ）、異常発生フラ
グをオフにせずに処理を終了する。
【００４５】
（左側可動役物異常判定処理及び右側可動役物異常判定処理について）
次に、サブ制御部９１が実行する左側可動役物異常判定処理について説明する。図１０
に示すように、左側可動役物異常判定処理では、サブ制御部９１は、左側可動役物１０２
が収納位置、出現位置、収納位置の順に収納位置からの往復移動を開始したか否かを判定
する（ステップＳｃ１）。サブ制御部９１は、左側可動役物１０２が収納位置からの往復
移動を開始していない場合（ステップＳｃ１；Ｎ）、左側可動役物１０２が収納位置から
の往復移動を開始するまでステップＳｃ１の処理を繰り返し、左側可動役物１０２が収納
位置からの往復移動を開始した場合（ステップＳｃ１；Ｙ）、所定期間（例えば、４秒間
）が経過するまでに左側可動役物１０２が収納位置からの往復移動を終了したか否かを判
定する（ステップＳｃ２）。
【００４６】
サブ制御部９１は、所定期間が経過するまでに左側可動役物１０２が収納位置からの往
復移動を終了した場合（ステップＳｃ２；Ｙ）、処理を終了する。一方、サブ制御部９１
は、所定期間が経過するまでに左側可動役物１０２が収納位置からの往復移動を終了しな
かった場合（ステップＳｃ２；Ｎ）、左側可動役物１０２の停止後に駆動源１５１のステ
ッピングモータへの励磁をオフにし（ステップＳｃ３）、処理を終了する。
なお、サブ制御部９１が実行する右側可動役物異常判定処理については、「左側」を「
右側」、「１０２」を「１０３」とすれば図１０の上記説明と同様であるため、冗長な説
明を低減するため、詳細な説明を省略する。
【００４７】
（中央可動役物１０１の動作例について）
次に、図１１〜図１６を参照して中央可動役物１０１の動作について説明する。図１１
に示すタイミングチャートは、上から順に、中央可動役物１０１の初期動作又は演出動作
の実行の有無（実行・非実行）、前後可動部１０１ａの収納位置から出現位置までの間の
位置、上下可動部１０１ｂの待機位置から稼働位置までの間の位置を示す。以降、本実施
形態において、事象の発生したタイミングをｔ（ｔ１、ｔ２、…）で示す。
【００４８】
図１１に示すように、ｔ１以前は、サブ制御部９１は、中央可動役物１０１に初期動作
又は演出動作を実行させていない。ｔ１において、中央可動役物１０１に初期動作又は演
出動作の実行を開始させると、サブ制御部９１は、前後可動部１０１ａに収納位置から出
現位置への移動を開始させており、ｔ１よりも後のｔ２において、前後可動部１０１ａが
収納位置から出現位置への移動を終了している。また、ｔ２において、サブ制御部９１は
、上下可動部１０１ｂに待機位置から稼働位置への移動を開始させており、ｔ２よりも後
のｔ３において、上下可動部１０１ｂが待機位置から稼働位置への移動を終了している。
この場合、ｔ１から所定期間が経過するｔ４までに前後可動部１０１ａの動作が終了し、
ｔ２から所定期間が経過するｔ５までに上下可動部１０１ｂの動作が終了している。この
ため、サブ制御部９１は、中央可動役物１０１の動作が正常に終了した、すなわち、動作
が成功したと判定し、異常が発生したと判定しないことになる。
【００４９】
また、ｔ３よりも後のｔ６において、サブ制御部９１は、上下可動部１０１ｂに稼働位
置から待機位置への移動を開始させており、ｔ６よりも後のｔ７において、上下可動部１
０１ｂが稼働位置から待機位置への移動を終了している。また、ｔ７において、サブ制御
部９１は、前後可動部１０１ａに出現位置から収納位置への移動を開始させており、ｔ７
よりも後のｔ８において、前後可動部１０１ａが出現位置から収納位置への移動を終了し
ており、中央可動役物１０１における初期動作又は演出動作の実行を終了している。この
場合、ｔ６から所定期間が経過するｔ９までに上下可動部１０１ｂの動作が終了し、ｔ７
から所定期間が経過するｔ１０までに前後可動部１０１ａの動作が終了している。このと
き、サブ制御部９１は、中央可動役物１０１の動作が正常に終了した、すなわち、動作が
成功したと判定し、異常が発生したと判定しないことになる。
【００５０】
図１２に示すタイミングチャートは、上から順に、中央可動役物１０１の初期動作の実
行の有無（実行・非実行）、前後可動部１０１ａの収納位置から出現位置までの間の位置
、上下可動部１０１ｂの待機位置から稼働位置までの間の位置、前後可動部１０１ａの駆
動源１３１への励磁のオン・オフ、上下可動部１０１ｂの駆動源１４１への励磁のオン・
オフ、異常発生フラグのオン・オフを示す。
【００５１】
一方、ｔ１において、中央可動役物１０１に初期動作の実行を開始させ、前後可動部１
０１ａに収納位置から出現位置への移動を開始させた後、中央可動役物１０１が動作を失
敗するときがある。例えば、中央可動役物１０１の前方に障害物が設けられていたり（例
えば、中央可動役物１０１の前方までスロットマシンのメダルやパチンコ遊技機の遊技球
を収容する箱、所謂ドル箱が積み上げられていたり）、中央可動役物１０１が前方から後
方向に手で押さえつけられたりしたときには、前後可動部１０１ａが収納位置と出現位置
との間の中間位置で移動できなくなることがある。この場合、図１２に示すように、例え
ば、ｔ１よりも後でありｔ２よりも前のｔ１１において、前後可動部１０１ａが中間位置
で停止し、ｔ１から所定期間が経過するｔ４までに前後可動部１０１ａの出現位置への動
作が終了しないことになる。このため、サブ制御部９１は、ｔ４において、中央可動役物
１０１の動作が正常に終了しなかった、すなわち、動作に失敗したと判定し、異常が発生
したと判定する。
【００５２】
また、このとき、サブ制御部９１は、中央可動役物１０１における初期動作の実行を終
了し、上下可動部１０１ｂに待機位置への移動を初期動作の速度αよりも遅い速度βで開
始させる。また、サブ制御部９１は、ｔ４から所定期間が経過したｔ１２において、上下
可動部１０１ｂが待機位置に移動しているか否かに関わらず上下可動部１０１ｂの駆動源
１４１への励磁をオフにし、前後可動部１０１ａに初期動作の速度αよりも遅い速度βと
なるように収納位置への移動を開始させる。そして、サブ制御部９１は、ｔ１２から所定
期間が経過したｔ１３において、前後可動部１０１ａが収納位置に移動しているか否かに
関わらず前後可動部１０１ａの駆動源１３１への励磁をオフにするとともに、異常発生フ
ラグをオンに設定して異常状態に制御する。なお、図１２に示す動作例では、上下可動部
１０１ｂが最初から待機位置で停止しており、前後可動部１０１ａがｔ１３までに中間位
置から収納位置に正常に移動している。
【００５３】
図１３に示すタイミングチャートは、図１２に示すタイミングチャートと同様に、上か
ら順に、中央可動役物１０１の初期動作の実行の有無（実行・非実行）、前後可動部１０
１ａの収納位置から出現位置までの間の位置、上下可動部１０１ｂの待機位置から稼働位
置までの間の位置、前後可動部１０１ａの駆動源１３１への励磁のオン・オフ、上下可動
部１０１ｂの駆動源１４１への励磁のオン・オフ、異常発生フラグのオン・オフを示す。
【００５４】
また、ｔ２において、前後可動部１０１ａが収納位置から出現位置への移動を終了し、
上下可動部１０１ｂに待機位置から稼働位置への移動を開始させた後、中央可動役物１０
１が動作を失敗するときがある。例えば、中央可動役物１０１の上方に障害物が設けられ
ていたり（例えば、中央可動役物１０１の上にドル箱が乗せられていたり）、中央可動役
物１０１が上方から下方向に手で押さえつけられたりしたときには、上下可動部１０１ｂ
が待機位置と稼働位置との間の中間位置で移動できなくなることがある。この場合、図１
３に示すように、例えば、ｔ２よりも後でありｔ３よりも前のｔ２１において、上下可動
部１０１ｂが中間位置で停止し、ｔ２から所定期間が経過するｔ５までに上下可動部１０
１ｂの稼働位置への動作が終了しないことになる。このとき、サブ制御部９１は、ｔ５に
おいて、中央可動役物１０１の動作が正常に終了しなかった、すなわち、動作に失敗した
と判定し、異常が発生したと判定する。
【００５５】
このとき、サブ制御部９１は、中央可動役物１０１における初期動作の実行を終了し、
上下可動部１０１ｂに待機位置への移動を初期動作の速度αよりも遅い速度βで開始させ
る。また、サブ制御部９１は、ｔ５から所定期間が経過したｔ２２において、上下可動部
１０１ｂが待機位置に移動しているか否かに関わらず上下可動部１０１ｂの駆動源１４１
への励磁をオフにし、前後可動部１０１ａに初期動作の速度αよりも遅い速度βとなるよ
うに収納位置への移動を開始させる。そして、サブ制御部９１は、ｔ２２から所定期間が
経過したｔ２３において、前後可動部１０１ａが収納位置に移動しているか否かに関わら
ず前後可動部１０１ａの駆動源１３１への励磁をオフにするとともに、異常発生フラグを
オンに設定して異常状態に制御する。なお、図１３に示す動作例では、上下可動部１０１
ｂがｔ２２までに中間位置から待機位置に正常に移動し、且つ、前後可動部１０１ａがｔ
２３までに出現位置から収納位置に正常に移動している。
【００５６】
図１４に示すタイミングチャートは、上から順に、中央可動役物１０１の演出動作の実
行の有無（実行・非実行）、前後可動部１０１ａの収納位置から出現位置までの間の位置
、上下可動部１０１ｂの待機位置から稼働位置までの間の位置、前後可動部１０１ａの駆
動源１３１への励磁のオン・オフ、上下可動部１０１ｂの駆動源１４１への励磁のオン・
オフ、異常発生フラグのオン・オフ、動作失敗カウンタの値（０〜６）を示す。
【００５７】
また、ｔ１において、中央可動役物１０１に演出動作の実行を開始させ、前後可動部１
０１ａに収納位置から出現位置への移動を開始させた後も初期動作のときと同様に、中央
可動役物１０１が動作を失敗するときがある。この場合、図１４に示すように、例えば、
中央可動役物１０１の前方にドル箱が積み上げられていたり、中央可動役物１０１の上に
ドル箱や遊技者の鞄等の所有物が乗せられていたりすると、ｔ１１において、前後可動部
１０１ａが中間位置で停止し、ｔ１から所定期間が経過するｔ４までに前後可動部１０１
ａの出現位置への動作が終了しないことになる。このとき、サブ制御部９１は、ｔ４にお
いて、動作に失敗したと判定し、動作失敗カウンタの値を０から１に＋１加算し、中央可
動役物１０１における演出動作の実行を終了する。
【００５８】
また、ｔ４よりも後のｔ３１において、サブ制御部９１は、中央可動役物１０１に演出
動作の実行を再度開始させ、前後可動部１０１ａに出現位置への移動を開始させる。この
とき、例えば、中央可動役物１０１の前方に障害物が設けられたまま放置されていたり、
中央可動役物１０１が前方から後方向に再度手で押さえつけられたりしたときには、前後
可動部１０１ａが中間位置から移動できない。この場合、図１４に示すように、例えば、
ｔ３１から所定期間が経過するｔ３２まで前後可動部１０１ａが中間位置で停止し、前後
可動部１０１ａの出現位置への動作が終了しないことになる。このとき、サブ制御部９１
は、ｔ３２において、動作に失敗したと判定し、動作失敗カウンタの値を１から２に＋１
加算し、中央可動役物１０１における演出動作の実行を終了する。
【００５９】
また、ｔ３２よりも後のｔ３３において、サブ制御部９１は、中央可動役物１０１に演
出動作の実行を再度開始させる。このとき、図１４に示すように、前後可動部１０１ａに
出現位置への移動を開始させてもｔ３３から所定期間が経過するｔ３４まで前後可動部１
０１ａが中間位置で停止する場合、前後可動部１０１ａの出現位置への動作が終了しない
ことになる。このとき、サブ制御部９１は、ｔ３４において、動作に失敗したと判定し、
動作失敗カウンタの値を２から３に＋１加算し、中央可動役物１０１における演出動作の
実行を終了する。
【００６０】
また、ｔ３４よりも後のｔ３５において、サブ制御部９１は、中央可動役物１０１に演
出動作の実行を再度開始させる。このとき、図１４に示すように、前後可動部１０１ａに
出現位置への移動を開始させてもｔ３５から所定期間が経過するｔ３６まで前後可動部１
０１ａが中間位置で停止する場合、前後可動部１０１ａの出現位置への動作が終了しない
ことになる。このとき、サブ制御部９１は、ｔ３６において、動作に失敗したと判定し、
動作失敗カウンタの値を３から４に＋１加算し、中央可動役物１０１における演出動作の
実行を終了する。
【００６１】
また、ｔ３６よりも後のｔ３７において、サブ制御部９１は、中央可動役物１０１に演
出動作の実行を再度開始させる。このとき、図１４に示すように、前後可動部１０１ａに
出現位置への移動を開始させてもｔ３７から所定期間が経過するｔ３８まで前後可動部１
０１ａが中間位置で停止する場合、前後可動部１０１ａの出現位置への動作が終了しない
ことになる。このとき、サブ制御部９１は、ｔ３８において、動作に失敗したと判定し、
動作失敗カウンタの値を４から５に＋１加算し、中央可動役物１０１における演出動作の
実行を終了する。
【００６２】
また、ｔ３８よりも後のｔ３９において、サブ制御部９１は、中央可動役物１０１に演
出動作の実行を再度開始させる。このとき、図１４に示すように、前後可動部１０１ａに
出現位置への移動を開始させてもｔ３９から所定期間が経過するｔ４０まで前後可動部１
０１ａが中間位置で停止する場合、前後可動部１０１ａの出現位置への動作が終了しない
ことになる。このとき、サブ制御部９１は、ｔ４０において、動作に失敗したと判定し、
動作失敗カウンタの値を５から６に＋１加算し、中央可動役物１０１における演出動作の
実行を終了する。また、サブ制御部９１は、動作失敗カウンタの値が６になったことで異
常が発生したと判定し、前後可動部１０１ａの駆動源１３１への励磁をオフにするととも
に、上下可動部１０１ｂの駆動源１４１への励磁をオフにし、異常発生フラグをオンに設
定して異常発生状態に制御する。
【００６３】
図１５に示すタイミングチャートは、図１４に示すタイミングチャートと同様に、上か
ら順に、中央可動役物１０１の演出動作の実行の有無（実行・非実行）、前後可動部１０
１ａの収納位置から出現位置までの間の位置、上下可動部１０１ｂの待機位置から稼働位
置までの間の位置、前後可動部１０１ａの駆動源１３１への励磁のオン・オフ、上下可動
部１０１ｂの駆動源１４１への励磁のオン・オフ、異常発生フラグのオン・オフ、動作失
敗カウンタの値（０〜６）を示す。
【００６４】
また、ｔ２において、前後可動部１０１ａが収納位置から出現位置への移動を終了し、
上下可動部１０１ｂに待機位置から稼働位置への移動を開始させた後も初期動作のときと
同様に、中央可動役物１０１が動作を失敗するときがある。この場合、図１５に示すよう
に、例えば、ｔ２１において、上下可動部１０１ｂが中間位置で停止し、ｔ２から所定期
間が経過するｔ５までに上下可動部１０１ｂの稼働位置への動作が終了しないことになる
。このとき、サブ制御部９１は、ｔ５において、動作に失敗したと判定し、動作失敗カウ
ンタの値を０から１に＋１加算し、中央可動役物１０１における演出動作の実行を終了す
る。
【００６５】
また、ｔ５よりも後のｔ４１において、サブ制御部９１は、中央可動役物１０１に演出
動作の実行を再度開始させ、上下可動部１０１ｂに稼働位置への移動を開始させる。この
とき、例えば、中央可動役物１０１の上方に障害物が設けられたまま放置されていたり、
中央可動役物１０１が上方から下方向に再度手で押さえつけられたりしたときには、上下
可動部１０１ｂが中間位置から移動できない。この場合、図１５に示すように、例えば、
ｔ４１から所定期間が経過するｔ４２まで上下可動部１０１ｂが中間位置で停止し、上下
可動部１０１ｂの稼働位置への動作が終了しないことになる。このとき、サブ制御部９１
は、ｔ４２において、動作に失敗したと判定し、動作失敗カウンタの値を１から２に＋１
加算し、中央可動役物１０１における演出動作の実行を終了する。
【００６６】
また、ｔ４２よりも後のｔ４３において、サブ制御部９１は、中央可動役物１０１に演
出動作の実行を再度開始させる。このとき、図１５に示すように、上下可動部１０１ｂに
稼働位置への移動を開始させてもｔ４３から所定期間が経過するｔ４４まで上下可動部１
０１ｂが中間位置で停止する場合、上下可動部１０１ｂの稼働位置への動作が終了しない
ことになる。このとき、サブ制御部９１は、ｔ４４において、動作に失敗したと判定し、
動作失敗カウンタの値を２から３に＋１加算し、中央可動役物１０１における演出動作の
実行を終了する。
【００６７】
また、ｔ４４よりも後のｔ４５において、サブ制御部９１は、中央可動役物１０１に演
出動作の実行を再度開始させる。このとき、図１５に示すように、上下可動部１０１ｂに
出現位置への移動を開始させてもｔ４５から所定期間が経過するｔ４６まで上下可動部１
０１ｂが中間位置で停止する場合、上下可動部１０１ｂの稼働位置への動作が終了しない
ことになる。このとき、サブ制御部９１は、ｔ４６において、動作に失敗したと判定し、
動作失敗カウンタの値を３から４に＋１加算し、中央可動役物１０１における演出動作の
実行を終了する。
【００６８】
また、ｔ４６よりも後のｔ４７において、サブ制御部９１は、中央可動役物１０１に演
出動作の実行を再度開始させる。このとき、図１５に示すように、上下可動部１０１ｂに
出現位置への移動を開始させてもｔ４７から所定期間が経過するｔ４８まで上下可動部１
０１ｂが中間位置で停止する場合、上下可動部１０１ｂの稼働位置への動作が終了しない
ことになる。このとき、サブ制御部９１は、ｔ４８において、動作に失敗したと判定し、
動作失敗カウンタの値を４から５に＋１加算し、中央可動役物１０１における演出動作の
実行を終了する。
【００６９】
また、ｔ４８よりも後のｔ４９において、サブ制御部９１は、中央可動役物１０１に演
出動作の実行を再度開始させる。このとき、図１５に示すように、上下可動部１０１ｂに
稼働位置への移動を開始させてもｔ４９から所定期間が経過するｔ５０まで上下可動部１
０１ｂが中間位置で停止する場合、上下可動部１０１ｂの稼働位置への動作が終了しない
ことになる。このとき、サブ制御部９１は、ｔ５０において、動作に失敗したと判定し、
動作失敗カウンタの値を５から６に＋１加算し、中央可動役物１０１における演出動作の
実行を終了する。また、サブ制御部９１は、動作失敗カウンタの値が６になったことで異
常が発生したと判定し、前後可動部１０１ａの駆動源１３１への励磁をオフにするととも
に、上下可動部１０１ｂの駆動源１４１への励磁をオフにし、異常発生フラグをオンに設
定して異常発生状態に制御する。
【００７０】
図１６に示すタイミングチャートは、上から順に、異常発生状態での最初のデモ画面の
表示の有無（表示・非表示）、前後可動部１０１ａの収納位置から出現位置までの間の位
置、上下可動部１０１ｂの待機位置から稼働位置までの間の位置、前後可動部１０１ａの
駆動源１３１への励磁のオン・オフ、上下可動部１０１ｂの駆動源１４１への励磁のオン
・オフ、異常発生フラグのオン・オフ、動作失敗カウンタの値（０〜６）を示す。
【００７１】
図１６に示すように、ｔ５１以前は、サブ制御部９１は、遊技進行中に動作失敗カウン
タが６になり、異常発生フラグがオンに設定されて異常発生状態に制御しており、前後可
動部１０１ａの駆動源１３１及び上下可動部１０１ｂの駆動源１４１への励磁がオフにな
っている。ｔ５１において、サブ制御部９１は、異常発生状態での最初のデモ画面の表示
を開始させると、中央可動役物のリカバリ動作（復帰動作）を開始する。具体的には、ま
ず、サブ制御部９１は、ｔ５１において、前後可動部１０１ａの駆動源１３１及び上下可
動部１０１ｂの駆動源１４１への励磁をそれぞれオンにし、前後可動部１０１ａに出現位
置への移動を開始させる。
【００７２】
このとき、例えば、図１６に示すように、ｔ５１よりも後のｔ５２において、前後可動
部１０１ａが中間位置から出現位置への移動を終了すると、上下可動部１０１ｂに待機位
置から稼働位置への移動を開始させる。このとき、例えば、図１６に示すように、ｔ５２
よりも後のｔ５３において、上下可動部１０１ｂが待機位置から稼働位置への移動を終了
すると、サブ制御部９１は、上下可動部１０１ｂに稼働位置から待機位置への移動を開始
させる。なお、この場合、ｔ５１から所定期間が経過するｔ５４までに前後可動部１０１
ａの動作が終了し、ｔ５２から所定期間が経過するｔ５５までに上下可動部１０１ｂの動
作が終了している。このため、サブ制御部９１は、前後可動部１０１ａおよび上下可動部
１０１ｂの動作がそれぞれ正常に終了していると判定している。
【００７３】
また、例えば、図１６に示すように、ｔ５５において、上下可動部１０１ｂが稼働位置
から待機位置への移動を終了すると、サブ制御部９１は、前後可動部１０１ａに出現位置
から収納位置への移動を開始させる。このとき、例えば、図１６に示すように、ｔ５５よ
りも後のｔ５６において、前後可動部１０１ａが出現位置から収納位置への移動を終了す
る場合、ｔ５３から所定期間が経過するｔ５６までに上下可動部１０１ｂの動作が終了し
、ｔ５５から所定期間が経過するｔ５７までに前後可動部１０１ａの動作が終了している
。このため、サブ制御部９１は、前後可動部１０１ａおよび上下可動部１０１ｂの動作が
それぞれ正常に終了していると判定し、ｔ５６において、リカバリ動作に成功したと判定
し、異常判定フラグをオフに設定して正常状態に制御し、動作失敗カウンタの値を０にリ
セットする。なお、図示は省略するが、リカバリ動作に失敗したと判定したときは、前後
可動部１０１ａの駆動源１３１及び上下可動部１０１ｂの駆動源１４１への励磁をそれぞ
れ再びオフにするとともに、異常判定フラグをオンに設定したままにする。
【００７４】
（左側可動役物１０２及び右側可動役物１０３の動作例について）
次に、図１７、図１８を参照して左側可動役物１０２の動作について説明する。図１７
に示すタイミングチャートは、上から順に、左側可動役物１０２の初期動作又は演出動作
の実行の有無（実行・非実行）、左側可動役物１０２の収納位置から出現位置までの間の
位置を示す。
【００７５】
図１７に示すように、ｔ６１以前は、サブ制御部９１は、左側可動役物１０２に初期動
作又は演出動作を実行させていない。ｔ６１において、左側可動役物１０２に初期動作又
は演出動作の実行を開始させると、サブ制御部９１は、左側可動役物１０２に収納位置か
ら出現位置への移動を開始させており、ｔ６１よりも後のｔ６２において、左側可動役物
１０２が収納位置から出現位置への移動を終了している。また、ｔ６２よりも後のｔ６３
において、サブ制御部９１は、左側可動役物１０２に出現位置から収納位置への移動を開
始させており、ｔ６３よりも後のｔ６４において、左側可動役物１０２が出現位置から収
納位置への移動を終了しており、左側可動役物１０２における初期動作又は演出動作の実
行を終了している。この場合、ｔ６１から所定期間が経過するｔ６５までに左側可動役物
１０２の動作が終了している。このとき、サブ制御部９１は、左側可動役物１０２の動作
が正常に終了した、すなわち、動作が成功したと判定し、異常が発生したと判定しないこ
とになる。
【００７６】
図１８に示すタイミングチャートは、上から順に、左側可動役物１０２の初期動作の実
行の有無（実行・非実行）、左側可動役物１０２の収納位置から出現位置までの間の位置
、左側可動役物１０２の駆動源１５１への励磁のオン・オフを示す。
【００７７】
一方、ｔ６１において、左側可動役物１０２に初期動作又は演出動作の実行を開始させ
、左側可動役物１０２に収納位置から出現位置への移動を開始させた後、左側可動役物１
０２が動作を失敗するときがある。例えば、左側可動役物１０２の前方に障害物が設けら
れていたり、左側可動役物１０２が前方から後方向に手で押さえつけられたりしたときに
は、左側可動役物１０２が収納位置と出現位置との間の中間位置で移動できなくなること
がある。この場合、図１８に示すように、例えば、ｔ６１よりも後でありｔ６２よりも前
のｔ６６において、左側可動役物１０２が中間位置で停止し、ｔ６１から所定期間が経過
するｔ６５までに左側可動役物１０２の出現位置への動作が終了しないことになる。この
ため、サブ制御部９１は、ｔ６５において、左側可動役物１０２の動作が正常に終了しな
かった、すなわち、動作に失敗したと判定し、異常が発生したと判定し、左側可動役物１
０２の駆動源１５１への励磁をオフにして異常状態に制御する。
【００７８】
なお、右側可動役物１０３の動作については、「左側」を「右側」、「１０２」を「１
０３」とすれば図１７、図１８の上記説明と同様であるため、冗長な説明を低減するため
、詳細な説明を省略する。
【００７９】
以上説明したように、本実施形態に係る遊技機１によれば、中央可動役物１０１、左側
可動役物１０２、右側可動役物１０３は、遊技者が触れることが可能な位置にそれぞれ設
けられている。また、サブ制御部９１は、遊技機１に対する電源供給が開始されたとき、
初期化処理において中央可動役物１０１、左側可動役物１０２、右側可動役物１０３に初
期動作をそれぞれ実行させる。また、サブ制御部９１は、遊技中に演出を実行するとき、
中央可動役物１０１、左側可動役物１０２、右側可動役物１０３に演出動作をそれぞれ実
行させる。また、サブ制御部９１は、中央可動役物１０１、左側可動役物１０２、右側可
動役物１０３の初期動作又は演出動作において異常が発生したか否かを判定している。
【００８０】
ここで、サブ制御部９１は、中央可動役物１０１の初期動作の実行中においては、前後
可動部１０１ａの収納位置から出現位置までの移動が所定期間を経過しても終了しないと
判定されたとき、または、上下可動部１０１ｂの待機位置から稼働位置までの移動が所定
期間を経過しても終了しないと判定されたとき、または、上下可動部１０１ｂの稼働位置
から待機位置までの移動が所定期間を経過しても終了しないと判定されたとき、または、
前後可動部１０１ａの出現位置から収納位置までの移動が所定期間を経過しても終了しな
いと判定されたとき、中央可動役物１０１の動作に異常が発生したと判定する。一方、サ
ブ制御部９１は、中央可動役物１０１の演出動作の実行中においては、これらの判定がな
されたとき、動作失敗カウンタの値を＋１加算し、動作失敗カウンタの値が６以上となっ
たとき、中央可動役物１０１の動作に異常が発生したと判定する。
【００８１】
この結果、本実施形態に係る遊技機１によれば、中央可動役物１０１の初期動作を実行
したときに成立する第１異常条件が中央可動役物１０１の演出動作を実行したときに成立
する第２異常条件よりも成立したと判定するまでの時間を要する条件となっている。
このようにすることで、演出動作の実行中のように遊技者が遊技中に中央可動役物１０
１に触っている可能性がある状況においては初期動作の実行中のように遊技が行われてお
らず遊技者が中央可動役物１０１に触っている可能性がない状況よりも時間をかけて中央
可動役物１０１に異常が発生したか否かを判定することができ、実際の状況に応じた判定
を行うことができる。
【００８２】
また、本実施形態に係る遊技機１によれば、中央可動役物１０１の初期動作を実行した
ときに成立する第１異常条件が中央可動役物１０１の演出動作を実行したときに成立する
第２異常条件よりも成立したと判定するまでの判定回数が多い条件となっている。
このようにすることで、演出動作の実行中のように遊技者が遊技中に中央可動役物１０
１に触っている可能性がある状況においては初期動作の実行中のように遊技が行われてお
らず遊技者が中央可動役物１０１に触っている可能性がない状況よりも判定回数を多くし
て中央可動役物１０１に異常が発生したか否かを判定することができ、実際の状況に応じ
た判定を行うことができる。
【００８３】
なお、本実施形態では、サブ制御部９１は、左側可動役物１０２及び右側可動役物１０
３の演出動作の実行中においては初期動作の実行中と同様に、上述した判定がなされたと
きに動作に異常が発生したと判定したが、これに限定されず、中央可動役物１０１と同様
に上述した判定がなされたときに動作失敗カウンタの値を＋１加算し、動作失敗カウンタ
の値が６以上となったとき、動作に異常が発生したと判定してもよい。この場合、中央可
動役物１０１の動作失敗カウンタだけでなく、左側可動役物１０２の動作失敗カウンタと
右側可動役物１０３の動作失敗カウンタとをそれぞれ新たに設ける必要がある。
【００８４】
なお、本実施形態では、遊技者が触れることが可能な位置にそれぞれ設けられた可動役
物として、中央可動役物１０１、左側可動役物１０２、右側可動役物１０３を例示したが
、各可動役物１０１〜１０３を配置する位置についてはこれに限定されず、例えば、左側
可動役物１０２及び右側可動役物１０３を筐体１ｂの左側板及び右側板にそれぞれ配置し
て左側可動役物１０２を左側板よりも左方に飛び出すように移動させたり、右側可動役物
１０３を右側板よりも右方に飛び出すように移動させたりしてもよい。また、例えば、中
央可動役物１０１を遊技機１前面中央部に設けてもよい。
【００８５】
また、本実施形態に係る遊技機１によれば、第１異常条件は、中央可動役物１０１に初
期動作を実行させてから所定期間が経過しても各位置への移動を終了しない旨の判定回数
が１回で成立する条件である。一方、第２異常条件は、中央可動役物１０１に演出動作を
実行させてから所定期間が経過しても各位置への移動を終了しない旨の判定回数が累計６
回で成立する条件である。
このようにすることで、演出動作の実行中のように遊技者が遊技中に中央可動役物１０
１に触っている可能性がある状況においては初期動作の実行中のように遊技が行われてお
らず遊技者が中央可動役物１０１に触っている可能性がない状況よりも所定期間が経過し
ても各位置への移動を終了しない旨の判定回数を多くして中央可動役物１０１に異常が発
生したか否かを判定することができ、実際の状況に応じた判定を行うことができる。
【００８６】
なお、本実施形態では、第１異常条件の判定回数が１回としたが、これに限定されず、
２回以上であってもよい。また、第２異常条件の判定回数を６回としたが、これに限定さ
れず、第１異常条件の判定回数よりも多い回数である限りにおいて、５回以下であっても
よく、７回以上であってもよい。
なお、本実施形態では、第２異常条件の判定回数が累計６回となったときに異常である
と判定したが、これに限定されず、連続６回とならなければ異常であると判定しないよう
にしてもよい。
なお、本実施形態では、第１異常条件よりも第２異常条件の判定回数が多くなるように
調整したが、これに限定されず、例えば、第１異常条件よりも第２異常条件の判定期間が
長くなるように調整してもよい。具体的には、第１異常条件を中央可動役物１０１に初期
動作を実行させてから第１期間（例えば、４秒間）が経過しても各位置への移動を終了し
ない旨の判定回数が１回で成立する条件とする一方、第２異常条件を中央可動役物１０１
に演出動作を実行させてから第１期間よりも長い第２期間（例えば、８秒間）が経過して
も各位置への移動を終了しない旨の判定回数が１回で成立する条件であってもよい。
【００８７】
また、本実施形態に係る遊技機１によれば、サブ制御部９１は、中央可動役物１０１の
初期動作を実行したときに第１異常条件が成立したと判定されたとき、上下可動部１０１
ｂに待機位置への移動を行わせてから前後可動部１０１ａに収納位置への移動を行わせる
。すなわち、中央可動役物１０１を初期位置に移動させる。一方、サブ制御部９１は、中
央可動役物１０１の演出動作を実行したときに第２異常条件が成立したと判定されたとき
、中央可動役物１０１を初期位置に移動させずに現在の位置に停止させる。
このようにすることで、初期動作の実行中のように遊技が行われておらず遊技者が中央
可動役物１０１に触っている可能性がない状況においては中央可動役物１０１に異常が発
生したと判定されると中央可動役物１０１を初期位置に復帰させて中央可動役物１０１初
期位置に配置されていないことによって遊技に支障が発生することを防止できる。また、
このようにすることで、演出動作の実行中のように遊技者が遊技中に中央可動役物１０１
に触っている可能性がある状況においては中央可動役物１０１に異常が発生したと判定さ
れると中央可動役物１０１を現在の位置に停止させて中央可動役物１０１に過度な負荷が
掛かることを防止できる。
【００８８】
なお、本実施形態では、中央可動役物１０１の初期動作を実行したときに第１異常条件
が成立したと判定されたときに上下可動部１０１ｂを待機位置に移動させた状態で前後可
動部１０１を収納位置に移動させることで中央可動役物１０１を初期位置に移動させてい
るが（図２（Ａ）〜図２（Ｃ）参照）、これに限定されず、例えば、図２（Ｄ）に示すよ
うに、偏心軸１３２ｃが回転軸１３２ｂの後方で完全に同じ高さとなる位置まで移動させ
ることで、前後可動部１０１をロック位置に移動させてもよい。このようにすることで、
中央可動役物１０１を遊技者が手で引っ張っても前後可動部１０１が前方に移動しない状
態（デッドロック状態）にすることができる。
【００８９】
なお、本実施形態のように、遊技に支障が発生することを防止させるために中央可動役
物１０１の初期動作を実行したときに第１異常条件が成立したと判定されたときに中央可
動役物１０１を初期位置に移動させることが好ましいが、中央可動役物１０１の演出動作
を実行したときに第２異常条件が成立したと判定されたときや左側可動役物１０２や右側
可動役物１０３の動作（初期動作、演出動作）を実行したときに異常条件が成立したと判
定されたときと同様に、中央可動役物１０１を現在の位置に停止させてもよい。また、中
央可動役物１０１に過度な負荷が掛かることを防止するために、中央可動役物１０１の演
出動作を実行したときに第２異常条件が成立したと判定されたときに中央可動役物１０１
を現在の位置に停止させることが好ましいが、中央可動役物１０１の初期動作を実行した
ときと同様に、中央可動役物１０１を初期位置に移動させてもよい。
【００９０】
また、本実施形態に係る遊技機１によれば、サブ制御部９１は、中央可動役物１０１に
初期動作または演出動作を実行させるとき、前後可動部１０１ａ及び上下可動部１０１ｂ
を速度αでそれぞれ移動させる一方、初期動作の実行中に異常が発生して中央可動役物１
０１を初期位置に移動させるとき、前後可動部１０１ａ及び上下可動部１０１ｂを速度α
よりも遅い速度βでそれぞれ移動させる。
このようにすることで、各可動部１０１ａ、１０１ｂを速度αで移動させるときよりも
遅い速度βで移動させたほうが駆動源１３１、１４１のステッピングモータが回転軸１３
２ｂ、１４２を回転させるトルクが大きくなるため、各可動部１０１ａ、１０１ｂを移動
させる力が大きくなる。この結果、中央可動役物１０１に異常が発生したと判定されてい
るときに中央可動役物１０１に初期動作中や演出動作中よりも強い負荷をかけて好適に初
期位置に復帰させることができる。
【００９１】
なお、本実施形態のように、強い負荷をかけて好適に初期位置に復帰させるために初期
動作の実行中に異常が発生して中央可動役物１０１を初期位置に移動させるときに速度β
で各可動部１０１ａ、１０１ｂを移動させることが好ましいが、中央可動役物１０１を初
期位置に移動させるときであっても通常の速度αで各可動部１０１ａ、１０１ｂを移動さ
せてもよい。
【００９２】
また、本実施形態に係る遊技機１によれば、サブ制御部９１は、初期動作の実行中にお
いて中央可動役物１０１に異常が発生したと判定されたとき、または、演出動作の実行中
において中央可動役物１０１に異常が発生したと判定されたとき、中央可動役物１０１に
演出動作を実行させる演出を実行するときに中央可動役物１０１に演出動作を実行させな
いように不能化制御を行っている。具体的には、サブ制御部９１は、前後可動部１０１ａ
の及び上下可動部１０１ｂの各駆動源１３１、１４１のステッピングモータへの励磁をオ
フにするとともに異常発生フラグをオンに設定している。また、サブ制御部９１は、不能
化制御からの復帰制御を行うことが可能である。具体的には、サブ制御部９１は、前後可
動部１０１ａの及び上下可動部１０１ｂの各駆動源１３１、１４１のステッピングモータ
への励磁を再開にするとともに異常発生フラグをオフに設定し、動作失敗カウンタの値を
０にリセットしている。
【００９３】
ここで、サブ制御部９１は、初期動作の実行中において中央可動役物１０１に異常が発
生したと判定されて不能化制御を行った後においては電断復帰したときに復帰制御を行う
。一方、サブ制御部９１は、演出動作の実行中において中央可動役物１０１に異常が発生
したと判定されて不能化制御を行った後においては電断復帰したときだけでなく、異常発
生状態に制御されてから最初のデモ画面を表示したときに開始するリカバリ動作が正常に
実行できたときにも復帰制御を行う。
このようにすることで、演出動作の実行中のように遊技者が遊技中に中央可動役物１０
１に触っている可能性がある状況においては初期動作の実行中のように遊技が行われてお
らず遊技者が中央可動役物１０１に触っている可能性がない状況とは異なる復帰条件（リ
カバリ動作成功）も加えることができ、実際の状況に応じた不能化制御からの復帰を行う
ことができる。
【００９４】
なお、本実施形態では、中央可動役物１０１を異常発生状態として制御するために異常
発生フラグを用いているが、これに限定されず、例えば、動作失敗カウンタの値を用いて
もよく、動作失敗カウンタの値が６となったときに中央可動役物１０１を異常発生状態と
して制御してもよい。この場合、不能化制御から異常発生フラグをオンに設定する処理を
省略できるとともに、復帰制御から異常発生フラグをオフに設定する処理を省略できる。
【００９５】
また、本実施形態に係る遊技機１によれば、初期動作の実行中に異常が発生して不能化
制御を行った後だけでなく演出動作の実行中に異常が発生して不能化制御を行った後にも
成立可能な第１復帰条件が電断復帰する条件である。一方、演出動作の実行中に異常が発
生して不能化制御を行った後にのみ成立可能な第２復帰条件が異常発生状態に制御されて
から最初のデモ画面を表示したときにリカバリ動作が成功する条件である。
このようにすることで、演出動作の実行中において中央可動役物１０１に異常が発生し
たと判定されて不能化制御を行った後においては電断復帰することなく不能化制御から復
帰させることができ、電断復帰しなければ復帰制御が行われない遊技機よりも利便性が向
上する。
【００９６】
なお、本実施形態では、第１復帰条件を電断復帰する条件としたが、これに限定されず
、電断復帰したときにサブ制御部９１のＲＡＭの記憶が初期化されたとき所謂ＲＡＭクリ
アが行われる条件としてもよい。また、本実施形態では、第２復帰条件を異常発生状態に
制御されてから最初のデモ画面を表示したときのリカバリ動作が成功する条件としたが、
これに限定されず、例えば、異常発生状態に制御されてから特定期間が経過したときのリ
カバリ動作が成功する条件としてもよい。すなわち、リカバリ動作を実行可能な状況につ
いては失敗した演出動作とは異なる状況である限りにおいて異常発生状態に制御されてか
ら最初のデモ画面を表示した状況に限定されず、異常発生状態に制御されてから特定期間
が経過した状況であってもよい。
【００９７】
例えば、スロットマシンであれば異常発生状態に制御された次のゲーム開始時や次の連
続演出の実行後にリカバリ動作を実行してもよく、失敗する演出動作を実行する契機とな
ったボーナスやＡＲＴやＣＺ等の有利状態が終了したときにリカバリ動作を実行してもよ
い。また、パチンコ遊技機であれば異常発生状態に制御された次の特図ゲーム開始時や次
のリーチ演出の実行後にリカバリ動作を実行してもよく、失敗する演出動作を実行する契
機となった大当り状態や小当り状態等の有利状態が終了したときにリカバリ動作を実行し
てもよい。
【００９８】
また、異常発生状態に制御されてから特定期間が経過した状況については、異常発生状
態に制御されたときの遊技者が遊技を終了している状況（所謂客待ちの状況）や、異常発
生状態に制御されたときの遊技者とは異なる遊技者に交代している状況であることが好ま
しい。よって、例えば、スロットマシンであれば異常発生状態に制御されてから特定ゲー
ム（例えば、１００ゲーム、１０００ゲーム、１２００ゲーム）後のゲーム開始時にリカ
バリ動作を実行してもよく、異常発生状態に制御されてから有利状態に複数回（例えば、
５回、１０回）制御されてからリカバリ動作を実行してもよい。また、パチンコ遊技機で
あれば異常発生状態に制御された特定特図ゲーム後の特図ゲーム開始時にリカバリ動作を
実行してもよく、異常発生状態に制御されてから有利状態に複数回制御されてからリカバ
リ動作を実行してもよい。
【００９９】
また、本実施形態に係る遊技機１によれば、サブ制御部９１は、異常発生状態に制御さ
れてから最初のデモ画面を表示したときにのみリカバリ動作を実行しており、当該リカバ
リ動作に失敗するとリカバリ動作を再度実行することがなく、第２復帰条件が成立しない
ことになる。
このようにすることで、異常発生状態に制御されてから最初のデモ画面を表示したとき
にリカバリ動作に失敗すると中央可動役物１０１の故障と判断して第１復帰条件が成立す
るまで、すなわち、電断復帰するまで復帰制御を行わないようにすることができる。
【０１００】
なお、本実施形態では、異常発生状態に制御されてから最初のデモ画面を表示したとき
にのみリカバリ動作を実行したが、これに限定されず、例えば、異常発生状態に制御され
てから所定回数目（例えば、５回目）のデモ画面が表示されたときまでリカバリ動作を実
行してもよく、異常発生状態に制御されてからデモ画面が表示される度にリカバリ動作を
実行してもよい。すなわち、異常発生状態に制御されてからデモ画面が表示される度にリ
カバリ動作を実行する場合、サブ制御部９１は、演出動作の実行中に異常であると判定さ
れたときには電断復帰するかリカバリ動作に成功するまで中央可動役物１０１を異常発生
状態として制御し、リカバリ動作に何回失敗しても中央可動役物１０１を異常状態として
制御しないようにしてもよい。
【０１０１】
また、本実施形態に係る遊技機１によれば、サブ制御部９１は、前後可動部１０１ａの
及び上下可動部１０１ｂの各駆動源１３１、１４１のステッピングモータへの励磁をオフ
にすることによって不能化制御を行っている。
このようにすることで、不能化制御を行っているときに中央可動役物１０１が意図しな
い動作を行ってしまうことを防止できる。
【０１０２】
なお、本実施形態では、前後可動部１０１ａの及び上下可動部１０１ｂの各駆動源１３
１、１４１のステッピングモータへの励磁をオフにすることによって不能化制御を行って
いるが、これに限定されず、例えば、サブ制御部９１が中央可動役物１０１に演出動作を
実行させる演出を実行するときに駆動源１３１、１４１のステッピングモータへの励磁を
制御しないようにする（例えば、パルス電力を出力する決定や命令や指示等を行わない）
ことで不能化制御を行ってもよい。
なお、本実施形態では、各可動役物１０１〜１０３に演出動作を実行させる演出におい
て不能化制御によって演出動作が行われないときには異常が発生していないその他の演出
装置、例えば、液晶表示器５１に演出画像を表示するだけで、演出動作の替わりの演出を
行っていないが、その他の演出装置に演出動作の替わりの演出を実行させてもよい。例え
ば、液晶表示器５１に特別な演出画像を表示させたり、演出動作を実行するときには用い
られないスピーカや演出効果ＬＥＤを用いた演出を実行したりしてもよい。
【０１０３】
また、本実施形態に係る遊技機１によれば、中央可動役物１０１は、収納位置と出現位
置との間を移動可能な前後可動部１０１ａと、待機位置と稼働位置との間を移動可能な上
下可動部１０１ｂとを有する。そして、サブ制御部９１は、前後可動部１０１ａの各位置
への移動が所定期間を経過しても終了しないと判定されたとき、または、上下可動部１０
１ｂの各位置への移動が所定期間を経過しても終了しないと判定されたとき、動作失敗カ
ウンタの値に＋１加算しており、動作失敗カウンタの値が６以上となったとき、中央可動
役物１０１に異常が発生したと判定している。
このようにすることで、前後可動部１０１ａの各位置への移動が所定期間を経過しても
終了しないと判定されたときに更新されるカウンタの値が特定値となったときに前後可動
部１０１ａに異常が発生したと判定する遊技機や上下可動部１０１ｂの各位置への移動が
所定期間を経過しても終了しないと判定されたときに更新されるカウンタの値が特定値と
なったときに上下可動部１０１ｂに異常が発生したと判定する遊技機よりも複数の可動部
１０１ａ、１０１ｂの何れかについて異常が発生したか否かを判定するための制御負荷を
低減できる。
【０１０４】
なお、本実施形態では、中央可動役物１０１が前後可動部１０１ａと上下可動部１０１
ｂとを有しているが、第１可動部及び第２可動部については前後可動部１０１ａや上下可
動部１０１ｂに限定されず、例えば、左右方向に移動可能な左右可動部や、遊技機１前面
における周方向に移動可能な周可動部であってもよい。すなわち、第１動作や第２動作は
前後方向や上下方向の動作に限定されず、左右方向の動作や遊技機１前面における周方向
の動作であってもよい。この場合であっても、サブ制御部９１が位置検出センサ等を用い
て各可動部の動作が成功したか否かを判定する構成が必要である。
【０１０５】
なお、本実施形態では、中央可動役物１０１が前後可動部１０１ａと上下可動部１０１
ｂとを有しているが、その他の可動部（第３可動部）を有してもよく、例えば、左右方向
に移動可能な左右可動部を新たに設けてもよく、有利状態の制御中に中央可動役物１０１
全体を液晶表示器５１の前方まで移動させる可動部を新たに設けてもよい。この場合、初
期動作や演出動作や初期位置に復帰する動作やリカバリ動作に第３可動部の動作を追加す
る必要があり、例えば、第３可動部の動作が失敗したときにも動作失敗カウンタの値に＋
１を加算したり、リカバリ動作として左右可動部の動作が成功したか否かを判定したりす
る必要がある。
【０１０６】
なお、本実施形態では、上記の判定がされたとき、動作失敗カウンタの値に＋１加算し
ているが、動作失敗カウンタの値を更新する限りにおいてこれに限定されず、例えば、＋
２以上を加算したり、任意の数値を用いて減算・乗算・除算等のその他の演算を行ったり
してもよい。この場合、動作失敗カウンタの値については６とは異なる特定値を用いて中
央可動役物１０１に異常が発生したと判定してもよい。
【０１０７】
また、本実施形態に係る遊技機１によれば、サブ制御部９１は、中央可動役物１０１に
異常が発生したと判定されたとき、前後可動部１０１ａの及び上下可動部１０１ｂの各駆
動源１３１、１４１のステッピングモータへの励磁をオフにするとともに異常発生フラグ
をオンに設定して前後可動部１０１ａ及び上下可動部１０１ｂに動作を実行させないよう
にする。
このようにすることで、正常状態ではない状態、すなわち、異常発生状態や異常状態に
おいて前後可動部１０１ａ及び上下可動部１０１ｂが動作することを防止できる。
【０１０８】
なお、本実施形態のように、不能化制御として前後可動部１０１ａ及び上下可動部１０
１ｂに動作を実行させないようにすることが好ましいが、不能化制御として前後可動部１
０１ａ又は上下可動部１０１ｂの何れか一方に動作を実行させないようにしてもよい。
なお、本実施形態のように、異常発生状態や異常状態において前後可動部１０１ａ及び
上下可動部１０１ｂが動作することを防止するために中央可動役物１０１に異常が発生し
たと判定されたとき上述したような不能化制御を行うことが好ましいが、中央可動役物１
０１に異常が発生したと判定されても不能化制御を行わなくてもよい。
【０１０９】
また、本実施形態に係る遊技機１によれば、不能化制御からの復帰制御を行う復帰条件
が前後可動部１０１ａの収納位置と出現位置との間の往復移動と上下可動部１０１ｂの機
位置と稼働位置との間の往復移動とを含むリカバリ動作に成功する条件である。
このようにすることで、複数の可動部１０１ａ、１０１ｂが全て正常に動作することに
よって不能化制御から復帰させることができる。
【０１１０】
なお、本実施形態では、復帰条件をリカバリ動作に成功する条件としたが、これに限定
されず、例えば、リカバリ動作に複数回（例えば、３回）成功する条件としてもよい。
なお、本実施形態のように、前後可動部１０１ａの収納位置と出現位置との間の往復移
動と上下可動部１０１ｂの機位置と稼働位置との間の往復移動とを含むリカバリ動作に成
功したときに復帰制御を行うようにすることが好ましいが、リカバリ動作を行わないよう
にして電断復帰するまで復帰制御も行わないようにしてもよい。
【０１１１】
また、本実施形態に係る遊技機１によれば、中央可動役物１０１が実行する演出動作に
は、前後可動部１０１ａの収納位置と出現位置との間の往復移動と上下可動部１０１ｂの
機位置と稼働位置との間の往復移動とが含まれる。
このようにすることで、演出動作として前後可動部１０１ａの収納位置と出現位置との
間の往復移動のみを行う遊技機や演出動作として上下可動部１０１ｂの待機位置と稼働位
置との間の往復移動のみを行う遊技機よりも演出動作に対して遊技者が興味を抱くように
なり、遊技の興趣が向上する。
【０１１２】
なお、本実施形態では、中央可動役物１０１が実行する演出動作として、前後可動部１
０１ａを収納位置から出現位置に移動させた後に上下可動部１０１ｂを待機位置から稼働
位置に移動させて有利状態の制御を終了するときに上下可動部１０１ｂを待機位置から稼
働位置に移動させた後に前後可動部１０１ａを出現位置から収納位置に移動させる動作を
実行したが、演出動作としてはこれに限定されず、例えば、上下可動部１０１ｂの待機位
置と稼働位置との間の往復移動を繰り返してもよく、例えば、前後可動部１０１ａの収納
位置と出現位置との間の往復移動を繰り返した後、前後可動部１０１ａを出現位置に移動
させてから上下可動部１０１ｂの待機位置と稼働位置との間の往復移動を行い、前後可動
部１０１ａを収納位置に移動させてもよい。また、例えば、前後可動部１０１ａを出現位
置よりも前方又は後方の第２出現位置に移動させる動作を行ってもよい。この場合、第２
出現位置への移動を検出可能な位置検出センサを新たに設けたり、初期動作やリカバリ動
作にも第２出現位置に移動する動作を追加したりする必要がある。また、例えば、上下可
動部１０１ｂも前後可動部１０１ａと同様に稼働位置よりも上方又は下方の第２稼働位置
に移動させる動作を行ってもよい。この場合、第２稼働位置への移動を検出可能な位置検
出センサを新たに設けたり、初期動作やリカバリ動作にも第２稼働位置に移動する動作を
追加したりする必要がある。さらに、演出動作としては１つの動作パターンに限定されず
、例えば、上述した複数の動作を動作パターンとして選択可能であってもよい。
【０１１３】
なお、本実施形態のように、演出動作に対して遊技者が興味を抱くようにするために中
央可動役物１０１が実行する演出動作として各可動部１０１ａ、１０１ｂの移動が両方含
まれることが好ましいが、前後可動部１０１ａと上下可動部１０１ｂとのうちの一方の移
動のみの動作であってもよく、例えば、前後可動部１０１ａの往復移動のみの動作であっ
てもよい。
【０１１４】
また、本実施形態に係る遊技機１によれば、上下可動部１０１ｂは、前後可動部１０１
ａが収納位置で停止しているときには被係合部１２１、１２２が筐体１ｂの係合部１１１
、１１２と係合しており、前後可動部１０１ａが収納位置から出現位置への移動をしなけ
れば待機位置から稼働位置への移動ができないようになっている。
このようにすることで、前後可動部１０１ａが収納位置から出現位置への移動をしなけ
れば上下可動部１０１ｂが待機位置から稼働位置への移動をすることが規制されるので、
上下可動部１０１ｂが待機位置から稼働位置への移動をしていないときの上下可動部１０
１ｂの意図しない動作を防止できる。
【０１１５】
なお、本実施形態では、前後可動部１０１ａが収納位置で停止しているときに被係合部
１２１、１２２が筐体１ｂの係合部１１１、１１２と係合することで前後可動部１０１ａ
が収納位置から出現位置への移動をしなければ上下可動部１０１ｂが待機位置から稼働位
置への移動ができないようにしたが、これに限定されず、例えば、位置検出センサの検出
信号に基づいて前後可動部１０１ａが出現位置で停止していることを条件としてサブ制御
部９１が上下可動部１０１ｂを待機位置から稼働位置に移動させる決定や命令や指示等を
行うことで、前後可動部１０１ａが収納位置から出現位置への移動をしなければ上下可動
部１０１ｂが待機位置から稼働位置への移動ができないようにしてもよい。
【０１１６】
なお、本実施形態では、前後可動部１０１ａが収納位置から出現位置への移動をしなけ
れば上下可動部１０１ｂが待機位置から稼働位置への移動ができないようにしたが、上下
可動部１０１ｂが稼働位置から待機位置への移動をしなければ前後可動部１０１ａが収納
位置から出現位置への移動ができないようにしてもよい。例えば、位置検出センサの検出
信号に基づいて上下可動部１０１ｂが待機位置で停止していることを条件としてサブ制御
部９１が前後可動部１０１ａを出現位置から収納位置に移動させる決定や命令や指示等を
行うことで、上下可動部１０１ｂが稼働位置から待機位置への移動をしなければ前後可動
部１０１ａが収納位置から出現位置への移動ができないようにしてもよい。
【０１１７】
なお、本実施形態のように、上下可動部１０１ｂの意図しない動作を防止するために前
後可動部１０１ａが収納位置から出現位置への移動をしなければ待機位置から稼働位置へ
の移動ができないようにすることが好ましいが、例えば、筐体１ｂに係合部１１１、１１
２を設けないようにすることで前後可動部１０１ａが収納位置から出現位置への移動をし
なくても待機位置から稼働位置への移動ができるようにしてもよい。
【０１１８】
なお、本実施形態では、サブ制御部９１は、中央可動役物１０１が演出動作を失敗して
終了したとき、各可動部１０１ａ、１０１ｂが動作を停止した状態で演出動作を終了して
いるが、これに限定されず、例えば、中央可動役物１０１が初期動作を失敗して終了した
ときと同様に、中央可動役物１０１が演出動作を失敗する度に中央可動役物１０１を初期
位置に移動させてもよい。また、例えば、単位遊技（例えば、スロットマシンであれば１
ゲーム、パチンコ遊技機であれば１特図ゲーム）毎に中央可動役物１０１の各可動部１０
１ａ、１０１ｂの位置を制御してもよく、次のゲームが有利状態の制御中でなければ中央
可動役物１０１を初期位置に移動させてもよい。このようにすることで、単位遊技毎に中
央可動役物１０１を好適な状態にすることができる。
【０１１９】
以下、図１９に示すタイミングチャートを用いて中央可動役物１０１の演出動作の変更
例について説明する。図１９に示すタイミングチャートは、上から順に、中央可動役物１
０１の演出動作の実行の有無（実行・非実行）、前後可動部１０１ａの収納位置から出現
位置までの間の位置、上下可動部１０１ｂの待機位置から稼働位置までの間の位置、前後
可動部１０１ａの駆動源１３１への励磁のオン・オフ、上下可動部１０１ｂの駆動源１４
１への励磁のオン・オフ、異常発生フラグのオン・オフ、動作失敗カウンタの値（０〜６
）を示す。
【０１２０】
図１９に示すように、ｔ１において、中央可動役物１０１に演出動作の実行を開始させ
、前後可動部１０１ａに収納位置から出現位置への移動を開始させた後、例えば、ｔ１１
において、前後可動部１０１ａが中間位置で停止し、ｔ１から所定期間が経過するｔ４ま
でに前後可動部１０１ａの出現位置への動作が終了しないことがある。このとき、サブ制
御部９１は、ｔ４において、動作に失敗したと判定し、動作失敗カウンタの値を０から１
に＋１加算し、中央可動役物１０１における演出動作の実行を終了する。
【０１２１】
また、ｔ４よりも後でありｔ３１よりも前のｔ７０において、サブ制御部９１は、演出
動作に失敗した単位遊技以降の単位遊技の開始時において有利状態に制御していなければ
、前後可動部１０１ａに中間位置から収納位置への移動を開始させており、ｔ７０よりも
後のｔ７１において、前後可動部１０１ａが中間位置から収納位置への移動を終了してい
る。この場合、ｔ７０から所定期間が経過するｔ７２までに前後可動部１０１ａの動作が
終了している。このため、サブ制御部９１は、動作が成功したと判定し、異常が発生した
と判定しないことになる。
【０１２２】
また、ｔ７２よりも後のｔ３１において、サブ制御部９１は、中央可動役物１０１に演
出動作の実行を再度開始させ、前後可動部１０１ａに収納位置から出現位置への移動を開
始させる。このとき、例えば、中央可動役物１０１の前方に障害物が設けられたまま放置
されていたり、中央可動役物１０１が前方から後方向に再度手で押さえつけられたりした
ときには、例えば、ｔ３１よりも後のｔ７３において、前後可動部１０１ａが中間位置で
停止し、ｔ３１から所定期間が経過するｔ３２まで前後可動部１０１ａが中間位置で停止
し、前後可動部１０１ａの出現位置への動作が終了しないことになる。このとき、サブ制
御部９１は、ｔ３２において、動作に失敗したと判定し、動作失敗カウンタの値を１から
２に＋１加算し、中央可動役物１０１における演出動作の実行を終了する。
【０１２３】
また、ｔ３２よりも後でありｔ３３よりも前のｔ７４において、サブ制御部９１は、演
出動作に失敗した単位遊技以降の単位遊技の開始時において有利状態に制御していなけれ
ば、前後可動部１０１ａに中間位置から収納位置への移動を開始させており、ｔ７４より
も後のｔ７５において、前後可動部１０１ａが中間位置から収納位置への移動を終了して
いる。この場合、ｔ７４から所定期間が経過するｔ７６までに前後可動部１０１ａの動作
が終了している。このため、サブ制御部９１は、動作が成功したと判定し、異常が発生し
たと判定しないことになる。
【０１２４】
また、ｔ７６よりも後のｔ３３において、サブ制御部９１は、中央可動役物１０１に演
出動作の実行を再度開始させる。このとき、図１９に示すように、例えば、ｔ３３よりも
後のｔ７７において、前後可動部１０１ａが中間位置で停止し、ｔ３３から所定期間が経
過するｔ３４まで前後可動部１０１ａが中間位置で停止し、前後可動部１０１ａの出現位
置への動作が終了しない場合、サブ制御部９１は、ｔ３４において、動作に失敗したと判
定し、動作失敗カウンタの値を２から３に＋１加算し、中央可動役物１０１における演出
動作の実行を終了する。
【０１２５】
また、ｔ３４よりも後でありｔ３５よりも前のｔ７８において、サブ制御部９１は、演
出動作に失敗した単位遊技以降の単位遊技の開始時において有利状態に制御していなけれ
ば、前後可動部１０１ａに中間位置から収納位置への移動を開始させており、ｔ７８より
も後のｔ７９において、前後可動部１０１ａが中間位置から収納位置への移動を終了して
いる。この場合、ｔ７８から所定期間が経過するｔ８０までに前後可動部１０１ａの動作
が終了している。このため、サブ制御部９１は、動作が成功したと判定し、異常が発生し
たと判定しないことになる。そして、図示は省略するが、以降、サブ制御部９１は、ｔ４
０において、動作失敗カウンタの値が６になったことで異常が発生したと判定するまで、
前後可動部１０１ａの中間位置と収納位置との間の移動を単位遊技毎に行うか否かを判定
しながら繰り返すことになる。
【０１２６】
なお、図示は省略するが、サブ制御部９１は、前後可動部１０１ａが出現位置まで移動
可能である一方、上下可動部１０１ｂが何らかの原因によって中間位置で停止して演出動
作を失敗する場合には、動作失敗カウンタの値が６になったことで異常が発生したと判定
するまで、前後可動部１０１ａの収納位置と出現位置との間の移動と上下可動部１０１ｂ
の中間位置と待機位置との間の移動とを単位遊技毎に行うか否かを判定しながら繰り返す
ことになる。この結果、単位遊技毎に中央可動役物１０１の位置を好適に制御できる。
【０１２７】
なお、本実施形態では、サブ制御部９１は、初期化処理において各可動役物１０１〜１
０３に初期動作をそれぞれ実行させ、遊技中に演出を実行するとき各可動役物１０１〜１
０３に演出動作をそれぞれ実行させているが、各可動役物１０１〜１０３に動作を実行さ
せる制御はこれに限定されず、例えば、遊技機１の製造時において出荷前の最終検査時に
おいて各可動役物１０１〜１０３に検査動作を実行させる制御を行ってもよい。この場合
、サブ制御部９１は、検査動作の実行中においては初期動作や演出動作の異常条件（例え
ば、上述した中央可動役物１０１の第１異常条件や第２異常条件）とは異なる第３異常条
件が成立したと判定したとき、各可動役物１０１〜１０３に異常が発生したと判定しても
よい。このようにすることで、第３異常条件を調整することで検査期間を調整できる。
【０１２８】
例えば、サブ制御部９１は、中央可動役物１０１の検査動作の実行中においては、前後
可動部１０１ａの収納位置から出現位置までの移動が所定期間よりも短い検査期間（例え
ば、２．５秒間）を経過しても終了しないと判定されたとき、または、上下可動部１０１
ｂの待機位置から稼働位置までの移動が検査期間を経過しても終了しないと判定されたと
き、または、上下可動部１０１ｂの稼働位置から待機位置までの移動が検査期間を経過し
ても終了しないと判定されたとき、または、前後可動部１０１ａの出現位置から収納位置
までの移動が検査期間を経過しても終了しないと判定されたとき、第３異常条件が成立し
たと判定し、中央可動役物１０１の動作に異常が発生したと判定してもよい。
【０１２９】
以下、図２０（Ａ）に示すタイミングチャートを用いて中央可動役物１０１の出荷前の
検査動作について説明する。図２０（Ａ）に示すタイミングチャートは、上から順に、中
央可動役物１０１の出荷前の検査動作の実行の有無（実行・非実行）、前後可動部１０１
ａの収納位置から出現位置までの間の位置、上下可動部１０１ｂの待機位置から稼働位置
までの間の位置を示す。
【０１３０】
図２０（Ａ）に示すように、ｔ８１以前は、サブ制御部９１は、中央可動役物１０１に
検査動作を実行させていない。ｔ８１において、中央可動役物１０１に検査動作の実行を
開始させると、サブ制御部９１は、前後可動部１０１ａに収納位置から出現位置への移動
を開始させており、ｔ８１よりも後のｔ８２において、前後可動部１０１ａが収納位置か
ら出現位置への移動を終了している。また、ｔ８２において、サブ制御部９１は、上下可
動部１０１ｂに待機位置から稼働位置への移動を開始させており、ｔ８２よりも後のｔ８
４において、上下可動部１０１ｂが待機位置から稼働位置への移動を終了している。この
場合、ｔ８１から検査期間が経過するｔ８３までに前後可動部１０１ａの動作が終了し、
ｔ８２から検査期間が経過するｔ８５までに上下可動部１０１ｂの動作が終了している。
このため、サブ制御部９１は、動作が成功したと判定し、異常が発生したと判定しないこ
とになる。なお、図示は省略するが、ｔ８３までに前後可動部１０１ａの動作が終了しな
いとき、または、ｔ８５までに上下可動部１０１ｂの動作が終了しないとき、サブ制御部
９１は、動作が失敗したと判定し、異常が発生したと判定することになる。
【０１３１】
また、ｔ８４において、サブ制御部９１は、上下可動部１０１ｂに稼働位置から待機位
置への移動を開始させており、ｔ８４よりも後のｔ８６において、上下可動部１０１ｂが
稼働位置から待機位置への移動を終了している。また、ｔ８６において、サブ制御部９１
は、前後可動部１０１ａに出現位置から収納位置への移動を開始させており、ｔ８６より
も後のｔ８８において、前後可動部１０１ａが出現位置から収納位置への移動を終了して
おり、中央可動役物１０１における検査動作の実行を終了している。この場合、ｔ８４か
ら検査期間が経過するｔ８７までに上下可動部１０１ｂの動作が終了し、ｔ８６から検査
期間が経過するｔ８９までに前後可動部１０１ａの動作が終了している。このとき、サブ
制御部９１は、動作が成功したと判定し、異常が発生したと判定しないことになる。なお
、図示は省略するが、ｔ８７までに上下可動部１０１ｂの動作が終了しないとき、または
、ｔ８９までに前後可動部１０１ａの動作が終了しないとき、サブ制御部９１は、動作が
失敗したと判定し、異常が発生したと判定することになる。
【０１３２】
また、例えば、サブ制御部９１は、左側可動役物１０２の検査動作の実行中においては
、左側可動役物１０２の収納位置と出現位置との間の往復移動が所定期間よりも短い検査
期間（例えば、１秒間）を経過しても終了しないと判定されたとき、第３異常条件が成立
したと判定し、左側可動役物１０２の動作に異常が発生したと判定してもよい。また、例
えば、サブ制御部９１は、右側可動役物１０３の検査動作の実行中においても左側可動役
物１０２と同様に、右側可動役物１０３の収納位置と出現位置との間の往復移動が検査期
間を経過しても終了しないと判定されたとき、第３異常条件が成立したと判定し、右側可
動役物１０３の動作に異常が発生したと判定してもよい。
【０１３３】
以下、図２０（Ｂ）に示すタイミングチャートを用いて左側可動役物１０２の出荷前の
検査動作について説明する。図２０（Ｂ）を参照して左側可動役物１０２の出荷前の検査
動作について説明する。図２０（Ｂ）に示すタイミングチャートは、上から順に、左側可
動役物１０２の出荷前の検査動作の実行の有無（実行・非実行）、左側可動役物１０２の
収納位置から出現位置までの間の位置を示す。
【０１３４】
図２０（Ｂ）に示すように、ｔ９１以前は、サブ制御部９１は、左側可動役物１０２に
検査動作を実行させていない。ｔ９１において、左側可動役物１０２に検査動作の実行を
開始させると、サブ制御部９１は、左側可動役物１０２に収納位置から出現位置への移動
を開始させており、ｔ９１よりも後のｔ９２において、左側可動役物１０２が収納位置か
ら出現位置への移動を終了している。このとき、サブ制御部９１は、左側可動役物１０２
に出現位置から収納位置への移動を開始させており、ｔ９２よりも後のｔ９３において、
左側可動役物１０２が出現位置から収納位置への移動を終了しており、左側可動役物１０
２における検査動作の実行を終了している。この場合、ｔ９１から所定期間が経過するｔ
９４までに左側可動役物１０２の動作が終了している。このとき、サブ制御部９１は、左
側可動役物１０２の動作が正常に終了した、すなわち、動作が成功したと判定し、異常が
発生したと判定しないことになる。なお、図示は省略するが、ｔ９４までに左側可動役物
１０２の動作が終了しないとき、サブ制御部９１は、動作が失敗したと判定し、異常が発
生したと判定することになる。
【０１３５】
なお、右側可動役物１０３の出荷前の検査動作については、「左側」を「右側」、「１
０２」を「１０３」とすれば図２０（Ｂ）の上記説明と同様であるため、冗長な説明を低
減するため、詳細な説明を省略する。
これらの結果、各可動役物１０１〜１０３の出荷前の検査期間を短縮できる。
【０１３６】
なお、本実施形態では、サブ制御部９１が各可動役物１０１〜１０３動作を実行させる
か否かを決定したり、各可動役物１０１〜１０３に動作を実行させるための制御（例えば
、駆動源１３１、１４１、１５１への励磁の制御等）を行ったりしているが、これに限定
されず、例えば、第１サブ制御部と第２サブ制御部とを設けてサブ制御部９１の機能を分
担し、第１サブ制御部が各可動役物１０１〜１０３に動作を実行させるか否かを決定する
一方、第２サブ制御部が各可動役物１０１〜１０３に動作を実行させるための制御を行っ
てもよい。この場合、例えば、第２サブ制御部が位置検出センサの検出信号に基づいて単
独で各可動役物１０１〜１０３に異常が発生したか否かを判定したり、異常が発生したと
きの不能化制御や復帰制御を行ったりしてもよい。また、例えば、第２サブ制御部が各可
動役物１０１〜１０３に異常が発生したと判定したときに第１サブ制御部にその旨を通知
し、当該通知を受信した第１制御部が各可動役物１０１〜１０３に動作を実行させる旨の
決定をしないようにすることで不能化制御を行ってもよい。
【０１３７】
なお、本発明に係る遊技機は、スロットマシンやパチンコ遊技機に限定されず、遊技者
が触れることが可能な位置に初期動作や演出動作を実行可能な可動部が設けられて当該可
動部に異常が発生したか否かを判定する任意の遊技機が含まれる。よって、例えば、初期
動作や演出動作として液晶表示器や操作部が可動するゲームセンターに設置されたクレー
ンゲームやメダルゲーム等のゲーム機等も本発明に係る遊技機に含まれる可能性がある。
【０１３８】
（１−１）上述したように、本願においては、
遊技を行う遊技機（例えば、遊技機１）であって、
遊技者が触れることが可能な位置に設けられた可動部（例えば、中央可動役物１０１、
左側可動役物１０２、右側可動役物１０３）と、
初期化条件（例えば、初期化処理を実行する条件）が成立したときに前記可動部に初期
動作（例えば、初期動作、前後可動部１０１ａを収納位置から出現位置に移動させた後に
上下可動部１０１ｂを待機位置と稼働位置との間で往復移動させてから前後可動部１０１
ａを収納位置から出現位置に移動させる動作、左側可動役物１０２及び右側可動役物１０
３を収納位置から出現位置に移動させた後に出現位置から収納位置に戻る往復移動を同時
にさせる動作）を実行させる制御を行う一方、演出条件（例えば、遊技中に演出を実行す
る条件）が成立したときに前記可動部に演出動作（例えば、演出動作、有利状態の制御を
開始するときに前後可動部１０１ａを収納位置から出現位置に移動させた後に上下可動部
１０１ｂを待機位置から稼働位置に移動させて有利状態の制御を終了するときに上下可動
部１０１ｂを待機位置から稼働位置に移動させた後に前後可動部１０１ａを出現位置から
収納位置に移動させる動作、左側可動役物１０２及び右側可動役物１０３を収納位置から
出現位置に移動させた後に出現位置から収納位置に戻る往復移動を同時にさせる動作）を
実行させる制御を行う動作制御手段（例えば、サブ制御部９１が各可動役物１０１〜１０
３に初期動作及び演出動作を実行させる処理）と、
前記可動部に異常が発生したか否かを判定する異常判定手段（例えば、サブ制御部９１
が実行するステップＳａ１〜Ｓａ１６、Ｓｃ１〜Ｓｃ３の処理）とを備え、
前記異常判定手段は、前記初期動作の実行中において第１異常条件（例えば、前後可動
部１０１ａの収納位置から出現位置までの移動が所定期間を経過しても終了しないと判定
される条件、上下可動部１０１ｂの待機位置から稼働位置までの移動が所定期間を経過し
ても終了しないと判定される条件、上下可動部１０１ｂの稼働位置から待機位置までの移
動が所定期間を経過しても終了しないと判定される条件、前後可動部１０１ａの出現位置
から収納位置までの移動が所定期間を経過しても終了しないと判定される条件）が成立し
たと判定したとき、または、前記演出動作の実行中において前記第１異常条件とは異なる
第２異常条件（例えば、前後可動部１０１ａの収納位置から出現位置までの移動が所定期
間を経過しても終了しないと判定されたとき、または、上下可動部１０１ｂの待機位置か
ら稼働位置までの移動が所定期間を経過しても終了しないと判定されたとき、または、上
下可動部１０１ｂの稼働位置から待機位置までの移動が所定期間を経過しても終了しない
と判定されたとき、または、前後可動部１０１ａの出現位置から収納位置までの移動が所
定期間を経過しても終了しないと判定されたときに＋１加算される動作失敗カウンタの値
が６以上となる条件）が成立したと判定したとき、前記可動部に異常が発生したと判定し
、
前記第２異常条件は、前記第１異常条件よりも成立したと判定するまでの時間を要する
条件である（例えば、初期動作の実行中においては中央可動役物１０１が１回でも動作を
失敗したと判定されれば成立するのに対して演出動作の実行中においては中央可動役物１
０１が累計６回以上動作を失敗したと判定されるまで成立しない）、遊技機について開示
されている。
【０１３９】
このような構成によれば、演出動作の実行中のように遊技者が遊技中に可動部に触って
いる可能性がある状況においては初期動作の実行中のように遊技が行われておらず遊技者
が可動部に触っている可能性がない状況よりも時間をかけて可動部に異常が発生したか否
かを判定することができ、実際の状況に応じた判定を行うことができる。
【０１４０】
（１−２）また、本願においては、
遊技を行う遊技機（例えば、遊技機１）であって、
遊技者が触れることが可能な位置に設けられた可動部（例えば、中央可動役物１０１、
左側可動役物１０２、右側可動役物１０３）と、
初期化条件（例えば、初期化処理を実行する条件）が成立したときに前記可動部に初期
動作（例えば、初期動作、前後可動部１０１ａを収納位置から出現位置に移動させた後に
上下可動部１０１ｂを待機位置と稼働位置との間で往復移動させてから前後可動部１０１
ａを収納位置から出現位置に移動させる動作、左側可動役物１０２及び右側可動役物１０
３を収納位置から出現位置に移動させた後に出現位置から収納位置に戻る往復移動を同時
にさせる動作）を実行させる制御を行う一方、演出条件（例えば、遊技中に演出を実行す
る条件）が成立したときに前記可動部に演出動作（例えば、演出動作、有利状態の制御を
開始するときに前後可動部１０１ａを収納位置から出現位置に移動させた後に上下可動部
１０１ｂを待機位置から稼働位置に移動させて有利状態の制御を終了するときに上下可動
部１０１ｂを待機位置から稼働位置に移動させた後に前後可動部１０１ａを出現位置から
収納位置に移動させる動作、左側可動役物１０２及び右側可動役物１０３を収納位置から
出現位置に移動させた後に出現位置から収納位置に戻る往復移動を同時にさせる動作）を
実行させる制御を行う動作制御手段（例えば、サブ制御部９１が各可動役物１０１〜１０
３に初期動作及び演出動作を実行させる処理）と、
前記可動部に異常が発生したか否かを判定する異常判定手段（例えば、サブ制御部９１
が実行するステップＳａ１〜Ｓａ１６、Ｓｃ１〜Ｓｃ３の処理）とを備え、
前記異常判定手段は、前記初期動作の実行中において第１異常条件（例えば、前後可動
部１０１ａの収納位置から出現位置までの移動が所定期間を経過しても終了しないと判定
される条件、上下可動部１０１ｂの待機位置から稼働位置までの移動が所定期間を経過し
ても終了しないと判定される条件、上下可動部１０１ｂの稼働位置から待機位置までの移
動が所定期間を経過しても終了しないと判定される条件、前後可動部１０１ａの出現位置
から収納位置までの移動が所定期間を経過しても終了しないと判定される条件）が成立し
たと判定したとき、または、前記演出動作の実行中において前記第１異常条件とは異なる
第２異常条件（例えば、前後可動部１０１ａの収納位置から出現位置までの移動が所定期
間を経過しても終了しないと判定されたとき、または、上下可動部１０１ｂの待機位置か
ら稼働位置までの移動が所定期間を経過しても終了しないと判定されたとき、または、上
下可動部１０１ｂの稼働位置から待機位置までの移動が所定期間を経過しても終了しない
と判定されたとき、または、前後可動部１０１ａの出現位置から収納位置までの移動が所
定期間を経過しても終了しないと判定されたときに＋１加算される動作失敗カウンタの値
が６以上となる条件）が成立したと判定したとき、前記可動部に異常が発生したと判定し
、
前記第２異常条件は、前記第１異常条件よりも成立したと判定するまでの判定回数が多
い条件である（例えば、初期動作の実行中においては中央可動役物１０１が１回でも動作
を失敗したと判定されれば成立するのに対して演出動作の実行中においては中央可動役物
１０１が累計６回以上動作を失敗したと判定されるまで成立しない）、遊技機についても
開示されている。
【０１４１】
このような構成によれば、演出動作の実行中のように遊技者が遊技中に可動部に触って
いる可能性がある状況においては初期動作の実行中のように遊技が行われておらず遊技者
が可動部に触っている可能性がない状況よりも判定回数を多くして可動部に異常が発生し
たか否かを判定することができ、実際の状況に応じた判定を行うことができる。
【０１４２】
（１−３）また、本願においては、
前記第１異常条件は、前記可動部に前記初期動作を実行させてから規定期間（例えば、
所定期間、４秒間）が経過しても所定態様（例えば、前後可動部１０１ａが収納位置まで
の移動を終了する態様、前後可動部１０１ａが出現位置までの移動を終了する態様、上下
可動部１０１ｂが待機位置までの移動を終了する態様、上下可動部１０１ｂが稼働位置ま
での移動を終了する態様）にならなかったと判定された回数が第１回数（例えば、１回）
になることによって成立する条件であり、
前記第２異常条件は、前記可動部に前記演出動作を実行させてから前記規定期間が経過
しても前記所定態様にならなかったと判定された回数が前記第１回数よりも多い第２回数
（例えば、６回）になることによって成立する条件である、遊技機についても開示されて
いる。
【０１４３】
このような構成によれば、演出動作の実行中のように遊技者が遊技中に可動部に触って
いる可能性がある状況においては初期動作の実行中のように遊技が行われておらず遊技者
が可動部に触っている可能性がない状況よりも規定期間が経過しても所定態様にならなか
った旨の判定回数を多くして可動部に異常が発生したか否かを判定することができ、実際
の状況に応じた判定を行うことができる。
【０１４４】
（１−４）また、本願においては、
前記動作制御手段は、前記第１異常条件が成立したと判定されたとき、前記可動部に初
期位置（例えば、中央可動役物１０１の初期位置、前後可動部１０１ａの収納位置、上下
可動部１０１ｂの待機位置）への復帰動作を実行させる制御を行う一方、前記第２異常条
件が成立したと判定されたとき、前記可動部に前記復帰動作を実行させずに現在の位置に
停止させる制御を行う（例えば、サブ制御部９１がステップＳａ１０、Ｓａ１１の処理を
実行する）、遊技機についても開示されている。
【０１４５】
このような構成によれば、初期動作の実行中のように遊技が行われておらず遊技者が可
動部に触っている可能性がない状況においては可動部に異常が発生したと判定されると可
動部を初期位置に復帰させて可動部が初期位置に配置されていないことによって遊技に支
障が発生することを防止できる。また、このような構成によれば、演出動作の実行中のよ
うに遊技者が遊技中に可動部に触っている可能性がある状況においては可動部に異常が発
生したと判定されると可動部を現在の位置に停止させて可動部に過度な負荷が掛かること
を防止できる。
【０１４６】
（１−５）また、本願においては、
前記動作制御手段は、前記可動部に前記初期動作または前記演出動作を実行させるとき
、前記可動部を第１速度（例えば、速度α）で移動させるように制御する一方、前記可動
部に前記復帰動作を実行させるとき、前記可動部を第１速度よりも遅い第２速度（例えば
、速度αよりも遅い速度β）で移動させるように制御する（例えば、サブ制御部９１がス
テップＳａ１０、Ｓａ１１の処理を実行する）、遊技機についても開示されている。
【０１４７】
このような構成によれば、可動部に異常が発生したと判定されているときに可動部に初
期動作中や演出動作中よりも強い負荷をかけて好適に初期位置に復帰させることができる
。
【０１４８】
（１−６）また、本願においては、
前記動作制御手段は、検査条件（例えば、出荷前の最終検査を行う条件）が成立したと
きに前記可動部に検査動作（例えば、出荷前の検査動作）を実行させる制御を行い（例え
ば、サブ制御部９１が各可動役物１０１〜１０３に検査動作を実行させる処理を実行し）
、
前記異常判定手段は、前記検査動作の実行中において前記第１異常条件とは異なり且つ
前記第２異常条件とは異なる第３異常条件（例えば、前後可動部１０１ａの収納位置から
出現位置までの移動が検査期間を経過しても終了しないと判定される条件、上下可動部１
０１ｂの待機位置から稼働位置までの移動が検査期間を経過しても終了しないと判定され
る条件、上下可動部１０１ｂの稼働位置から待機位置までの移動が検査期間を経過しても
終了しないと判定される条件、前後可動部１０１ａの出現位置から収納位置までの移動が
検査期間を経過しても終了しないと判定される条件、左側可動役物１０２の出現位置と収
納位置との間の往復移動が検査期間を経過しても終了しないと判定される条件、右側可動
役物１０３の出現位置と収納位置との間の往復移動が検査期間を経過しても終了しないと
判定される条件）が成立したと判定したとき、前記可動部に異常が発生したと判定する、
遊技機についても開示されている。
【０１４９】
このような構成によれば、第３異常条件を調整することで検査期間を調整でき、例えば
、第３異常条件を第１異常条件や第２異常条件よりも成立したと判定するまでの時間を要
する条件としたり、第１異常条件や第２異常条件よりも成立したと判定するまでの判定回
数が少ない条件としたりすることで、検査期間を短縮できる。
【０１５０】
（２−１）また、本願においては、
遊技を行う遊技機（例えば、遊技機１）であって、
遊技者が触れることが可能な位置に設けられた可動部（例えば、中央可動役物１０１、
左側可動役物１０２、右側可動役物１０３）と、
初期化条件（例えば、初期化処理を実行する条件）が成立したときに前記可動部に初期
動作（例えば、初期動作、前後可動部１０１ａを収納位置から出現位置に移動させた後に
上下可動部１０１ｂを待機位置と稼働位置との間で往復移動させてから前後可動部１０１
ａを収納位置から出現位置に移動させる動作、左側可動役物１０２及び右側可動役物１０
３を収納位置から出現位置に移動させた後に出現位置から収納位置に戻る往復移動を同時
にさせる動作）を実行させる制御を行う一方、演出条件（例えば、遊技中に演出を実行す
る条件）が成立したときに前記可動部に演出動作（例えば、演出動作、有利状態の制御を
開始するときに前後可動部１０１ａを収納位置から出現位置に移動させた後に上下可動部
１０１ｂを待機位置から稼働位置に移動させて有利状態の制御を終了するときに上下可動
部１０１ｂを待機位置から稼働位置に移動させた後に前後可動部１０１ａを出現位置から
収納位置に移動させる動作、左側可動役物１０２及び右側可動役物１０３を収納位置から
出現位置に移動させた後に出現位置から収納位置に戻る往復移動を同時にさせる動作）を
実行させる制御を行う動作制御手段（例えば、サブ制御部９１が各可動役物１０１〜１０
３に初期動作及び演出動作を実行させる処理）と、
前記可動部に異常が発生したか否かを判定する異常判定手段（例えば、サブ制御部９１
が実行するステップＳａ１〜Ｓａ１６、Ｓｃ１〜Ｓｃ３の処理）と、
前記初期動作の実行中において前記可動部に異常が発生したと判定されたとき（例えば
、前後可動部１０１ａの収納位置から出現位置までの移動が所定期間を経過しても終了し
ないと判定されたとき、上下可動部１０１ｂの待機位置から稼働位置までの移動が所定期
間を経過しても終了しないと判定されたとき、上下可動部１０１ｂの稼働位置から待機位
置までの移動が所定期間を経過しても終了しないと判定されたとき、前後可動部１０１ａ
の出現位置から収納位置までの移動が所定期間を経過しても終了しないと判定されたとき
）、または、前記演出動作の実行中において前記可動部に異常が発生したと判定されたと
き（例えば、前後可動部１０１ａの収納位置から出現位置までの移動が所定期間を経過し
ても終了しないと判定されたとき、または、上下可動部１０１ｂの待機位置から稼働位置
までの移動が所定期間を経過しても終了しないと判定されたとき、または、上下可動部１
０１ｂの稼働位置から待機位置までの移動が所定期間を経過しても終了しないと判定され
たとき、または、前後可動部１０１ａの出現位置から収納位置までの移動が所定期間を経
過しても終了しないと判定されたときに＋１加算される動作失敗カウンタの値が６以上と
なったとき）、前記演出条件が成立しても前記可動部に前記演出動作を実行させない不能
化制御（例えば、不能化制御、前後可動部１０１ａの及び上下可動部１０１ｂの各駆動源
１３１、１４１のステッピングモータへの励磁をオフにするとともに異常発生フラグをオ
ンに設定する制御、左側可動役物１０２及び右側可動役物１０３の各駆動源１５１のステ
ッピングモータへの励磁をオフにする制御）を行う不能化制御手段（例えば、サブ制御部
９１が実行するステップＳａ１４〜Ｓａ１６、Ｓｃ３の処理）と、
前記不能化制御からの復帰制御（例えば、復帰制御、電断復帰時に前後可動部１０１ａ
の及び上下可動部１０１ｂの各駆動源１３１、１４１のステッピングモータへの励磁をオ
ンにするとともに異常発生フラグをオフに設定する制御、電断復帰時に左側可動役物１０
２及び右側可動役物１０３の各駆動源１５１のステッピングモータへの励磁をオンにする
制御）を行うことが可能な復帰制御手段（例えば、サブ制御部９１が実行するステップＳ
ｂ１〜Ｓｂ１０の処理、サブ制御部９１が実行する電断復帰後に復帰制御を行う処理）と
を備え、
前記復帰制御手段は、
前記初期動作の実行中において前記可動部に異常が発生したと判定されて前記不能化
制御を行った後において、第１復帰条件（例えば、電断復帰する条件）が成立したとき、
前記復帰制御を行うことが可能であり、
前記演出動作の実行中において前記可動部に異常が発生したと判定されて前記不能化
制御を行った後において、前記第１復帰条件が成立したとき、または、前記第１復帰条件
とは異なる第２復帰条件（例えば、サブ制御部９１がステップＳｂ１〜Ｓｂ１０の処理を
全て実行する条件）が成立したとき、前記復帰制御を行うことが可能である、遊技機につ
いて開示されている。
【０１５１】
このような構成によれば、演出動作の実行中のように遊技者が遊技中に可動部に触って
いる可能性がある状況においては初期動作の実行中のように遊技が行われておらず遊技者
が可動部に触っている可能性がない状況とは異なる復帰条件も加えることができ、実際の
状況に応じた不能化制御からの復帰を行うことができる。
【０１５２】
（２−２）また、本願においては、
前記第１復帰条件は、前記遊技機への電力供給が停止されることによって成立する条件
（例えば、電断復帰する条件）であり、
前記第２復帰条件は、前記演出動作の再試行（例えば、リカバリ動作）が可能な状況（
例えば、異常発生状態に制御されてから最初のデモ画面を表示する状況）において該再試
行が成功することによって成立する条件（例えば、サブ制御部９１がステップＳｂ１〜Ｓ
ｂ１０の処理を全て実行する条件）である、遊技機についても開示されている。
【０１５３】
このような構成によれば、演出動作の実行中において可動部に異常が発生したと判定さ
れて不能化制御を行った後においては遊技機への電力供給を停止することなく不能化制御
から復帰させることが可能となり、遊技機への電力供給を停止しなければ復帰制御が行わ
れない遊技機よりも利便性が向上する。
【０１５４】
（２−３）また、本願においては、
前記演出動作の再試行が可能な状況において該再試行が失敗したとき、前記第２復帰条
件が成立しないようにする（例えば、サブ制御部９１がステップＳｂ１の処理を実行する
）、遊技機についても開示されている。
【０１５５】
このような構成によれば、演出動作の再試行が失敗したときには可動部の故障と判断し
て第１復帰条件が成立するまで復帰制御を行わないようにすることができる。
【０１５６】
（２−４）また、本願においては、
前記不能化制御手段は、前記可動部の駆動源への電力供給を停止することによって前記
不能化制御を行う（例えば、サブ制御部９１がステップＳａ１４、Ｓａ１５、Ｓｃ３の処
理を実行する）、遊技機についても開示されている。
【０１５７】
このような構成によれば、前記不能化制御を行っているときに前記可動部が意図しない
動作を行ってしまうことを防止できる。
【０１５８】
（２−５）また、本願においては、
一単位の遊技である単位遊技（例えば、単位遊技、スロットマシンであれば１ゲーム、
パチンコ遊技機であれば１特図ゲーム）毎に該単位遊技に応じた前記可動部の状態を指定
する状態指定手段（例えば、サブ制御部９１が実行する単位遊技毎に前後可動部１０１ａ
及び上下可動部１０１ｂの位置を制御する処理）を備える、遊技機についても開示されて
いる。
【０１５９】
このような構成によれば、単位遊技毎に可動部を好適な状態にすることができる。
【０１６０】
（３−１）また、本願においては、
遊技を行う遊技機（例えば、遊技機１）であって、
第１動作（例えば、第１動作、収納位置と出現位置との間を移動する動作）が可能な第
１可動部（例えば、前後可動部１０１ａ）と、第２動作（例えば、第２動作、待機位置と
稼働位置との間を移動する動作）が可能な第２可動部（例えば、上下可動部１０１ｂ）と
を有する可動部材（例えば、中央可動役物１０１）と、
前記可動部材に異常が発生したか否かを判定する異常判定手段（例えば、サブ制御部９
１が実行するステップＳａ１〜Ｓａ１６の処理）とを備え、
前記異常判定手段は、前記第１動作の実行中において異常条件が成立したと判定した場
合（例えば、前後可動部１０１ａの収納位置から出現位置までの移動が所定期間を経過し
ても終了しないと判定されたとき、前後可動部１０１ａの出現位置から収納位置までの移
動が所定期間を経過しても終了しないと判定されたとき）、または、前記第２動作の実行
中において異常条件が成立したと判定した場合（例えば、上下可動部１０１ｂの待機位置
から稼働位置までの移動が所定期間を経過しても終了しないと判定されたとき、上下可動
部１０１ｂの稼働位置から待機位置までの移動が所定期間を経過しても終了しないと判定
されたとき）に更新されるカウンタ（例えば、動作失敗カウンタ）の値が特定値（例えば
、６）となったとき、前記可動部材に異常が発生したと判定する（例えば、サブ制御部９
１がステップＳａ１〜Ｓａ９、Ｓａ１２〜Ｓａ１６の処理を実行する）、遊技機について
開示されている。
【０１６１】
このような構成によれば、第１動作の実行中において異常条件が成立したと判定した場
合に更新されるカウンタの値が特定値となったときに第１可動部に異常が発生したと判定
する遊技機や第２動作の実行中において異常条件が成立したと判定した場合に更新される
カウンタの値が特定値となったときに第２可動部に異常が発生したと判定する遊技機より
も複数の可動部について異常が発生したか否かを判定するための制御負荷を低減できる。
【０１６２】
（３−２）また、本願においては、
前記可動部材に異常が発生したと判定されたとき、前記第１可動部および前記第２可動
部に動作を実行させない不能化制御（例えば、不能化制御、前後可動部１０１ａの及び上
下可動部１０１ｂの各駆動源１３１、１４１のステッピングモータへの励磁をオフにする
とともに異常発生フラグをオンに設定する制御）を行う不能化制御手段を備える、遊技機
についても開示されている。
【０１６３】
このような構成によれば、正常ではない状態で第１可動部および第２可動部が動作する
ことを防止できる。
【０１６４】
（３−３）また、本願においては、
前記可動部材に異常が発生したと判定されて前記不能化制御を行った後において復帰条
件（例えば、電断復帰する条件、リカバリ動作が成功する条件）が成立したとき、前記不
能化制御からの復帰制御（例えば、復帰制御、電断復帰時に前後可動部１０１ａの及び上
下可動部１０１ｂの各駆動源１３１、１４１のステッピングモータへの励磁をオンにする
とともに異常発生フラグをオフに設定する制御、電断復帰時に左側可動役物１０２及び右
側可動役物１０３の各駆動源１５１のステッピングモータへの励磁をオンにする制御）を
行うことが可能な復帰制御手段（例えば、サブ制御部９１が実行するステップＳｂ１〜Ｓ
ｂ１０の処理、サブ制御部９１が実行する電断復帰後に復帰制御を行う処理）とを備え、
前記復帰条件は、前記第１動作および前記第２動作の再試行（例えば、リカバリ動作）
が可能な状況（例えば、異常発生状態に制御されてから最初のデモ画面を表示する状況）
において前記第１動作および前記第２動作の再試行がともに成功することによって成立す
る条件（例えば、サブ制御部９１がステップＳｂ１〜Ｓｂ１０の処理を全て実行する条件
）である、遊技機についても開示されている。
【０１６５】
このような構成によれば、複数の可動部が全て正常に動作することによって不能化制御
から復帰させることができる。
【０１６６】
（３−４）また、本願においては、
演出条件（例えば、遊技中に演出を実行する条件）が成立したときに前記可動部材に演
出動作（例えば、演出動作、有利状態の制御を開始するときに前後可動部１０１ａを収納
位置から出現位置に移動させた後に上下可動部１０１ｂを待機位置から稼働位置に移動さ
せて有利状態の制御を終了するときに上下可動部１０１ｂを待機位置から稼働位置に移動
させた後に前後可動部１０１ａを出現位置から収納位置に移動させる動作）を実行させる
制御を行う動作制御手段（例えば、サブ制御部９１が中央可動役物１０１に演出動作を実
行させる処理）を備え、
前記演出動作には、前記第１動作と前記第２動作とが含まれる（例えば、演出動作が有
利状態の制御を開始するときに前後可動部１０１ａを収納位置から出現位置に移動させた
後に上下可動部１０１ｂを待機位置から稼働位置に移動させて有利状態の制御を終了する
ときに上下可動部１０１ｂを待機位置から稼働位置に移動させた後に前後可動部１０１ａ
を出現位置から収納位置に移動させる動作である）、遊技機についても開示されている。
【０１６７】
このような構成によれば、演出動作として第１動作のみを実行する遊技機や演出動作と
して第２動作のみを実行する遊技機よりも演出動作に対して遊技者が興味を抱くようにな
り、遊技の興趣が向上する。
【０１６８】
（３−５）また、本願においては、
前記第２可動部は、前記第１可動部が前記第１動作をしたことを条件として前記第２動
作が可能となる（例えば、前後可動部１０１ａが収納位置で停止しているときには被係合
部１２１、１２２が筐体１ｂの係合部１１１、１１２と係合しており前後可動部１０１ａ
が収納位置から出現位置への移動をしなければ上下可動部１０１ｂが待機位置から稼働位
置への移動ができないようになっている）、遊技機についても開示されている。
【０１６９】
このような構成によれば、第１可動部が第１動作をしなければ第２可動部が第２動作を
することが規制されるので、第１可動部が第１動作をしていないときの第２可動部の意図
しない動作を防止できる。
【符号の説明】
【０１７０】
１  遊技機、７  操作部、４１  メイン制御部、５１  液晶表示器、９１  サブ制御部
、１０１  中央可動役物、１０２  左側可動役物、１０３  右側可動役物
【図１】
2020120723.tif 000003
【図２】
2020120723.tif 000004
【図３】
2020120723.tif 000005
【図４】
2020120723.tif 000006
【図５】
2020120723.tif 000007
【図６】
2020120723.tif 000008
【図７】
2020120723.tif 000009
【図８】
2020120723.tif 000010
【図９】
2020120723.tif 000011
【図１０】
2020120723.tif 000012
【図１１】
2020120723.tif 000013
【図１２】
2020120723.tif 000014
【図１３】
2020120723.tif 000015
【図１４】
2020120723.tif 000016
【図１５】
2020120723.tif 000017
【図１６】
2020120723.tif 000018
【図１７】
2020120723.tif 000019
【図１８】
2020120723.tif 000020
【図１９】
2020120723.tif 000021
【図２０】
2020120723.tif 000022